(57)【要約】  本発明は、一方では、塗布される化粧料（Ｐ）を収納することが意図されたリザーバー（３）を形成する本体と、他方では、少なくとも１つの頂点（５１）を有する凸塗布表面（５０）を規定する塗布部材（５）を含むアプリケーターと、を含む、液状化粧料を包装および塗布するためのアセンブリー（１）であって、リザーバーを形成する本体（２）が、塗布部材（５）を受容可能なハウジングを含み、リザーバーとの仕切り壁（８）が、リザーバーに直接流体連通する少なくとも１つのスルーオリフィス（９）を有し、前記オリフィスが、リザーバーを形成する本体のハウジング内の所定の位置に前記塗布部材があるとき、塗布部材の頂点の近傍に対向するハウジングの少なくとも１つの端壁のみに位置決めされ、塗布部材が連続気泡多孔性材料から作製されることを特徴とする、アセンブリーに関する。
2018531675.tif 000002
【特許請求の範囲】
【請求項１】
一方では、塗布される化粧料（Ｐ）を収納することが意図されたリザーバーを形成する本体と、他方では、少なくとも１つの頂点を有する凸塗布表面を規定する塗布部材を含むアプリケーターと、を含む、液状化粧料を包装および塗布するためのアセンブリーであって、前記リザーバーを形成する前記本体が、前記塗布部材を受容可能なハウジングを含み、前記リザーバーとの仕切り壁が、前記リザーバーに直接流体連通する少なくとも１つのスルーオリフィスを有し、前記オリフィスが、リザーバーを形成する前記本体の前記ハウジング内の所定の位置に前記塗布部材があるとき、前記塗布部材の頂点の近傍に対向する前記ハウジングの少なくとも１つの端壁のみに位置決めされ、前記塗布部材が連続気泡多孔性材料から作製されることを特徴とする、アセンブリー。
【請求項２】
前記オリフィスが、前記塗布部材の絶対頂点に対応する前記ハウジングの端壁に、好ましくは前記端壁のみに位置決めされることを特徴とする、請求項１に記載のアセンブリー。
【請求項３】
前記ハウジングの壁が単一のオリフィスを有することを特徴とする、請求項１または２に記載のアセンブリー。
【請求項４】
前記ハウジングの壁が複数のオリフィスを有することを特徴とする、請求項１または２に記載のアセンブリー。
【請求項５】
前記ハウジングの壁が、前記端壁の中心の周りに均一に分布する複数のオリフィスを含むことを特徴とする、請求項４に記載のアセンブリー。
【請求項６】
前記ハウジングの壁が、前記端壁の中心に位置決めされた中心オリフィスを有することを特徴とする、請求項１〜５のいずれか一項に記載のアセンブリー。
【請求項７】
前記オリフィスの全部または一部が実質的に円形の断面を有することを特徴とする、請求項１〜６のいずれか一項に記載のアセンブリー。
【請求項８】
前記リザーバーが少なくとも１つの混合エレメントとくに少なくとも１つの混合ビーズを含むことを特徴とする、請求項１〜７のいずれか一項に記載のアセンブリー。
【請求項９】
前記塗布部材が、少なくとも部分的にフロック加工された、好ましくは全面的にフロック加工された塗布表面を有することを特徴とする、請求項１〜８のいずれか一項に記載のアセンブリー。
【請求項１０】
前記アプリケーターが、不使用時、前記塗布部材を前記ハウジング内に受容した状態で前記容器に締結されるように構成されることを特徴とする、請求項１〜９のいずれか一項に記載のアセンブリー。
【請求項１１】
前記塗布部材を前記ハウジング内に受容したとき、前記塗布表面が前記ハウジングの壁と空間を形成可能な表面を有しないことを特徴とする、請求項１〜１０のいずれか一項に記載のアセンブリー。
【請求項１２】
前記塗布部材が、とくに丸形または半球形の先端を有して、円錐一般形状を有することを特徴とする、請求項１〜１１のいずれか一項に記載のアセンブリー。
【請求項１３】
前記オリフィスが、前記アプリケーターを前記容器に締結したとき、前記塗布表面により閉鎖されることを特徴とする、請求項１〜１２のいずれか一項に記載のアセンブリー。
【請求項１４】
前記塗布部材をわずかに圧縮した状態で前記アプリケーターを前記容器に締結したとき、前記塗布表面が前記ハウジングの壁に対して少なくとも部分的には変形することを特徴とする、請求項１〜１３のいずれか一項に記載のアセンブリー。
【請求項１５】
前記リザーバーが、固体粒子とくに顔料および／または真珠母を含有する液状化粧料を含むことを特徴とする、請求項１〜１４のいずれか一項に記載のアセンブリー。
【請求項１６】
前記リザーバーが、組成物の重量を基準にして少なくとも７０重量％の少なくとも１種の不揮発性オイルまたはいくつかの不揮発性オイルの単一相の混合物を追加的に含む液状化粧料を含み、前記組成物が、少なくとも１種の極性または非極性の不揮発性炭化水素系オイルと、少なくとも１種の鉱物増粘剤と、少なくとも１種の非イオン性シリコーン界面活性剤と、を含むことを特徴とする、請求項１５に記載のアセンブリー。
【発明の詳細な説明】
【技術分野】
【０００１】
本発明は、液状化粧料を包装および塗布するためのアセンブリーに関する。
【背景技術】
【０００２】
「化粧料」という表現は、化粧料に関する２００９年１１月３０日付けの欧州議会（Ｅｕｒｏｐｅａｎ  Ｐａｒｌｉａｍｅｎｔ）および理事会（Ｃｏｕｎｃｉｌ）の規則（ＥＣ）Ｎｏ１２２３／２００９に規定されたいずれかの物質を意味するものと理解される。
【０００３】
包装・塗布アセンブリーは、皮膚、口唇、爪などのヒトケラチン表面に化粧料を塗布することがより特定的に意図される。
【０００４】
皮膚および／または口唇に対するメイクアップおよび／またはケアを専ら対象として、塗布性、快適性、摩耗性、および被覆性に関するだけでなく、たとえば光沢などのメイクアップ効果に関しても満足な性質を有する製剤を開発することが、目下の目的である。
【０００５】
かかる流体物質の満足すべき快適な塗布を可能にするために、多くの包装・塗布アセンブリーが開発されてきた。
【０００６】
一般に、化粧料を包装および塗布するためのアセンブリーは、一方では、塗布される化粧料を収納することが意図されたリザーバーを形成する本体と、他方では、ユーザーの身体表面に接触することが意図された塗布表面を規定する塗布部材を含むアプリケーターと、を含む。
【０００７】
アプリケーターの例として、とくに口唇に対するアプリケーター（ディップアプリケーターと呼ばれる）を含む包装・塗布アセンブリーが記載されている（特許文献１）が挙げられうる。
【０００８】
化粧料の充填が前記化粧料中に塗布部材を浸漬（ｄｉｐ  ｏｒ  ｉｍｍｅｒｓｅ）することにより行われる場合、アプリケーターはディップアプリケーターと呼ばれる。
【０００９】
アプリケーターを化粧料中に浸漬することから、アプリケーターへの充填率は高くなる。その場合、過剰の化粧料の除去を可能にするワイピング装置をリザーバーに装備することが一般に必要である。しかしながら、たとえば中心オリフィスを提供することにより、アプリケーターへの充填を増加させようと試みることが一般的である。
【００１０】
アプリケーターへの物質の充填をより良好に制御することを目指した他の包装・塗布アセンブリーも知られている。
【００１１】
例として、とくに（特許文献２）、（特許文献３）、および（特許文献４）が挙げられうる。
【００１２】
（特許文献２）には、化粧料が通り抜ける多孔性アプリケーター部材が取り付けられたリザーバーを含む、化粧料を包装および塗布するためのアセンブリーが記載されている。アセンブリーは、開放時に化粧料をポンプ操作して塗布部材を介するその拡散を促進する作用を生じるように閉位置で塗布部材を圧縮するキャップを含む。
【００１３】
（特許文献３）および（特許文献４）には、塗布部材に物質を充填するさらに別の方法が示されている。より具体的には、（特許文献３）および（特許文献５）には、リザーバーを形成する本体が提供されており、前記本体は、塗布部材を受容可能なハウジングを有し、リザーバーとの仕切り壁は、前記リザーバーに直接流体連通する少なくとも１つのスルーオリフィスを有する。アセンブリーを振盪または反転させると、化粧料は開口を通り抜けて、塗布部材の塗布表面に直接含浸される。
【００１４】
（特許文献３）は、塗布部材の最適な比較的多量の充填を目標とする。これを行うために、（特許文献３）では、開放多孔性を有する多孔性塗布部材が提供され、化粧料をディスペンスするためのオリフィスは、前記塗布部材がハウジング内の所定の位置にあるとき、非圧縮塗布部に対向して配置される。ディスペンスオリフィスは、実質的に塗布表面全体に分布する。
【００１５】
（特許文献４）自体は、塗布部材が過充填されないことを目指す。これを行うために、（特許文献４）では、正確に位置決めされたオリフィスと、物質が浸透できない膜により形成された塗布表面と、の組合せが提供される。
【先行技術文献】
【特許文献】
【００１６】
【特許文献１】仏国特許第２８７２９９９号明細書
【特許文献２】仏国特許第２８３２２９７号明細書
【特許文献３】仏国特許第２８１４６５１号明細書
【特許文献４】仏国特許第２９６２８９０号明細書
【特許文献５】仏国特許第２９６２９９０号明細書
【発明の概要】
【発明が解決しようとする課題】
【００１７】
多くのタイプの包装・塗布アセンブリーが開発されてきたにもかかわらず、ある特定の化粧料の塗布性の改善を可能にするアセンブリーの必要性が依然として存在する。
【００１８】
とくに、ある特定の化粧料処方は、ユーザーへの塗布およびそのメイクアップ結果を最適化するために特定のアプリケーターの開発を依然として必要としていることに、本出願人は気付いた。
【００１９】
本出願が目標とする包装・塗布アセンブリーは、なかでもとくにリップオイルタイプの化粧料を塗布することが意図される。
【００２０】
口唇のメイクアップおよび／またはケアがより特定的に意図されたかかる組成物は液状形態であり、たとえば少なくとも７０重量％の不揮発性オイルとくにシリコーン油および着色または無色の固体粒子たとえば顔料および／または真珠母を含む。
【００２１】
口唇のメイクアップおよび／またはケアが意図された処方はかなり前から知られており、光沢剤などの流体処方から、任意選択的に支持されたスティック形の固体組成物さらにはペンシル形の組成物に至るまで、さまざまな形態である。
【００２２】
消費者に提供される組成物をさらに多様化するために、無水または実質的に無水の処方が出現した。これらは、光沢剤よりもさらに流動性であり、高含有率の油を含み、非常に快適に化粧できる。しかしながら、これらの処方を利用できるのは、あまり着色されない処方のときだけである。この本質的な原因は、かかる組成物の魅力（正確に言えば大きい流動性）を失うことなく、このタイプの油性媒体中に高含有率の粒子を懸濁状態で維持することが非常に難しいことにある。
【００２３】
実際に、多量の顔料、真珠母、または充填剤を用いると、これらの粒子の沈降が観測され、その結果、粒子の集塊を含みうるそれほど魅力的でないケークが形成される。こうして形成されたケークは、非常に凝集性であるというさらなる欠点を有する。したがって、再び均一な組成を有するように容易に再分散することはできない。そのため、ひとたび粒子が沈降すると組成物は実質的に使用不能になり、もはや口唇上に均一な堆積物を得ることができないので許容できない。
【００２４】
したがって、沈降問題を最小限に抑えるために、これらの組成物は比較的低い含有率の固体粒子を含む。しかしこの場合、達成可能な色調の数さらにはその強度は制限される。組成物はまた、色素つまり使用される媒体に可溶な種も含みうる。しかしながら、この分野で使用可能な色素の数は比較的制限されるので、色素が着色固体粒子と組み合わされるか否かにかかわらず、色の範囲またはその強度を大幅に拡張するように提案することはできない。
【００２５】
以上に挙げた配合の困難のほかに、沈降傾向を有するこのタイプの化粧料はまた、現在の包装・塗布アセンブリーで最適に解決されない塗布の困難を引き起こす。
【００２６】
より具体的には、固体粒子の存在を考慮して、包装アセンブリーは、とくに、容易かつ正確な塗布を行って最適なメイクアップ効果が得られるように、均一な懸濁液として固体粒子を再懸濁できるとともにアプリケーターへの良好な充填を確保できなけなければならない。
【００２７】
こうした制約を考慮すると、拡散は均一に行われないので、物質が塗布部材を介して拡散しなければならない内部供給タイプのアセンブリーは好適でない。
【００２８】
ディップアプリケーターもまた、化粧料中で粒子を均一に再懸濁することが難しいので最適でない。さらに、顔料着色組成物の高い着色力およびリップオイルタイプの組成物中の高い含油率を考慮すると、アプリケーターへの充填を制御できることが望ましい。過剰充填の場合、充填されていないまたはそれほど充填されていないアプリケーターの表面を用いてユーザーが対象の皮膚または口唇の表面の色を抑制できることが有利である。
【００２９】
仏国特許第２８１４６５１号明細書に記載のデバイスもまた、満足すべきものではないことが明らかになっているが、ボトルを単に手で振盪するだけで比較的容易に再懸濁可能である。
【００３０】
仏国特許第２９６２８９０号明細書には、顔料を含有しうる組成物が挙げられているが、かかるアセンブリーは満足すべき結果を与えないことが明らかになっている。問題の１つは、とくに、かかるアプリケーターでは処方物が非常に急速に放出されることである。
【課題を解決するための手段】
【００３１】
本発明は、これらの目的の全部または一部を達成することを目指しており、この目的のために、一方では、塗布される化粧料を収納することが意図されたリザーバーを形成する本体と、他方では、少なくとも１つの頂点を有する凸塗布表面を規定する塗布部材を含むアプリケーターと、を含む、液状化粧料を包装および塗布するためのアセンブリーを提案する。
【００３２】
リザーバーを形成する本体は、塗布部材を受容可能なハウジングを含み、リザーバーとの仕切り壁は、リザーバーに直接流体連通する少なくとも１つのスルーオリフィスを有する。前記オリフィスは、リザーバーを形成する本体のハウジング内の所定の位置に前記塗布部材があるとき、塗布部材の頂点の近傍に対向するハウジングの少なくとも１つの端壁のみに位置決めされる。
【００３３】
包装・塗布アセンブリーは、塗布部材が連続気泡多孔性材料から作製されることを特徴とする。
【００３４】
頂点または先端を有する凸塗布表面を規定する塗布部材の存在は、とくに物質の正確な塗布を可能にする。
【００３５】
塗布部材を受容するようにハウジングの壁に設けられたオリフィスは、とくにリザーバーの振盪時または反転時にとくに塗布部材への化粧料の充填を可能にする。
【００３６】
「ハウジングの少なくとも１つの端壁のみに位置決めされたオリフィス」という表現は、仕切り壁の残りの部分は中実であること、すなわち有孔でないことを意味するものと理解される。
【００３７】
こうして、本出願人は、驚くべきことに、非常に局在化されて位置決めされた直接流体連通する１つ以上のディスペンスオリフィスと多孔性塗布表面とを組み合わせることにより、目標の包装・塗布アセンブリーが、リザーバーに収納された化粧料、とくに真珠母および／または顔料などの固体粒子を含有する化粧料の正確で快適で均一な塗布を可能にすることを観測した。
【００３８】
分かるように、非常に局在化されたオリフィスの使用により仕切り壁を介する物質の通過を制限することができるので、アプリケーターに過充填することなく物質の正確な用量を得ることができる。
【００３９】
固体粒子を含有するかつとくに沈降傾向または相分離傾向を有する液状化粧料の使用に関連する範囲内では、本出願人は、考えたこととは対照的に、塗布部材の塗布先端に対向する局在化オリフィスが存在すると、全塗布表面に対向して分布する場合よりもかなり均一な量の処方物を捕集できることに気付いた。したがって、篩媒体としてアプリケーターの先端に局在化されたとしても、多孔性アプリケーターへの均一物質の充填は依然として得られる。
【００４０】
いかなる一理論にも拘束されることを望むものではないが、連続気泡多孔性材料から作製された塗布表面を使用すると、過剰の溶媒とくにオイルが材料を介してより容易に拡散しうると同時に顔料や真珠母などの固体粒子の保持が大幅に促進されると、本出願人は考える。したがって、溶媒相と固体粒子との間の移行差は、とくに有利なメイクアップ性を提供すると思われる。
【００４１】
この結果、顔料タイプおよび真珠母タイプの粒子は、塗布先端の周りに濃縮される。これにより、広がらない大きい被覆性を有する正確な塗布が可能になる。
【００４２】
塗布表面の残りの部分とくに周辺ゾーンまたは側方ゾーンは、塗布される物質を抑制してメイクアップを改善するために使用しうる。
【００４３】
多孔性アプリケーターを介して拡散する溶媒相とくにオイルは、全塗布表面にわたり塗布の大きなソフトさに寄与する。
【００４４】
直接流体連通とは、オリフィスが前記オリフィスを介する化粧料の強制的通過を可能にするポンプタイプまたはエアロゾルタイプのいかなる選択開放ディスペンス手段とも組み合わされないことを意味するものと理解される。塗布部材への充填は、リザーバーを単に振盪または反転させるだけで行われる。
【００４５】
これにより選択閉鎖機構の使用が防止されるので、使用時のリザーバーの耐漏れ性をとくに確保でき、オリフィスを介する物質の通過は強制されない状態が維持される。
【００４６】
「塗布部材の頂点の近傍」とは、本出願では、点形状の幾何学的頂点の近くに延在する頂点部分を対象とする。オリフィスは、塗布表面の全表面の多くとも５％さらには１０％を占める幾何学的頂点の周りのゾーンに位置決めされると考えられる。
【００４７】
優先的には、オリフィスは、塗布部材の絶対頂点に対応するハウジングの端壁、好ましくは前記端壁のみに位置決めされる。
【００４８】
第１の変形形態によれば、ハウジングの壁は単一のオリフィスを有する。
【００４９】
第２の変形形態によれば、ハウジングの壁は複数のオリフィスを有する。
【００５０】
複数のオリフィスを存在させると比較的小さいサイズのオリフィスの保持が可能になるので、たとえばごくわずかな振盪運動の後に塗布部材への良好な充填に十分な全通過面積が確保されると同時に、できる限り均一な量の物質の通過が確保できるようになる。そのほかに、オリフィスのサイズはまた、目詰まり現象を防止または制限するように固体粒子のサイズの関数として決定される。
【００５１】
いくつかのオリフィスの場合、これらは優先的には端壁の中心の周りに均一に分布する。これにより塗布先端への最適な充填が確保できるようになる。
【００５２】
有利には相補的に、ハウジングの壁は、端壁の中心に位置決めされた中心オリフィスを有する。端壁の中心とは、アプリケーターの幾何学的頂点に対向する点を意味するものと理解される。
【００５３】
好ましい一実施形態によれば、オリフィスの全部または一部は実質的に円形の断面を有する。円形状のかかる断面は、目詰まり現象を回避するに非常に好適である。適宜、使用される粒子に依存して他の断面も想定しうる。
【００５４】
有利には相補的に、リザーバーは、少なくとも１つの混合エレメント、とくに少なくとも１つ混合ビーズを含む。重量やサイズなどの混合エレメントの特性は、化粧料の沈降性の関数として選択されよう。
【００５５】
優先的には、塗布部材は、少なくとも部分的にフロック加工された、好ましくは完全にフロック加工された塗布表面を有する。塗布の大きなソフトさのほかに、フロック繊維はまた、粒子の保持に役立ち、その拡散を改善する。
【００５６】
有利には、アプリケーターは、不使用時、塗布部材がハウジング内に受容された状態で容器に締結されるように構成される。したがって、アプリケーターはリザーバーを閉じることができる。
【００５７】
優先的には、塗布表面は、塗布部材がハウジング内に受容されたとき、ハウジングの壁との空間を形成可能な表面とくに凹面を有していない。とくに、塗布表面は、オリフィスに対向する凹面を有していない。実際に、凹面が存在するとアプリケーターとハウジングの仕切り壁との間で空隙の形成が可能となり、空隙の内側に物質が沈着する可能性があるので望ましくない。
【００５８】
好ましくは、塗布部材は、とくに丸形または半球形の先端を有して円錐状一般形状を有する。かかる形状は、とくに口唇への塗布に好適である。
【００５９】
より好ましくは、オリフィスは、アプリケーターが容器に締結されたとき、塗布表面により閉鎖させる。これにより、アプリケーターが閉位置にあるとき、オリフィスを介する物質のいかなる漏れも回避可能になる。
【００６０】
有利には相補的に、塗布表面は、アプリケーターが容器に締結されたとき、塗布部材がわずかに圧縮された状態でハウジングの壁に対して少なくとも部分的に変形する。したがって、化粧料の特性の関数として、物質の拡散の促進、とくに溶媒相またはオイルの吸着の促進を可能にするポンプ作用が加わるように、わずかに圧縮された状態で塗布部材を配置することが可能である。この圧縮はまた、塗布部材によるオリフィスの閉鎖を改善する。
【００６１】
本出願はまた、リザーバーが固体粒子とくに顔料および／または真珠母さらにはワックスを含有する液状化粧料を含むことを特徴とする包装・塗布アセンブリーに関する。
【００６２】
とくに、化粧料は、組成物の重量を基準にして少なくとも７０重量％の少なくとも１種の不揮発性オイルまたはいくつかの不揮発性オイルの単一相の混合物を含み、組成物は、少なくとも１種の極性または非極性の不揮発性炭化水素系オイルと、少なくとも１種の鉱物増粘剤と、少なくとも１種の非イオン性シリコーン界面活性剤と、少なくとも着色または無色の固体粒子と、を含む。
【００６３】
本発明は、添付の図面に関する以下の詳細な説明を読めばよりよく理解されよう。
【図面の簡単な説明】
【００６４】
【図１】本発明に係る包装・塗布アセンブリーの長手方向断面の模式図である。
【図２】図１のアセンブリーに装備する塗布部材の長手方向断面の模式図である。
【図３】図２の塗布部材のハウジングを形成するリングの長手方向断面の模式図である。
【図４】図３のリングの上面模式図である。
【発明を実施するための形態】
【００６５】
図１は、液状化粧料Ｐを包装および塗布するためのアセンブリー１を示す。
【００６６】
アセンブリー１は、塗布される化粧料Ｐを収納するリザーバー３を形成する本体２と、少なくとも１つの頂点５１を有する凸塗布表面５０を規定する塗布部材５を含むアプリケーター４と、を含む。
【００６７】
本体２は、前記リザーバー３の開口２２の境界を定める自由上縁２１を有する。より具体的には、開口２２は、本体２の頸部２４の自由上端に位置する。
【００６８】
本体２は回転対称性を有する。開口２２は円形断面を有する。明らかに他の形状を想定しうる。
【００６９】
本体２は、塗布部材５を受容可能なハウジング７を開口２２に有し、前記ハウジング７は、リザーバー３との仕切り壁８により少なくとも部分的に境界が定められる。
【００７０】
本出願によれば、仕切り壁８は、リザーバー３に直接流体連通する少なくとも１つのスルーオリフィス９を有する。
【００７１】
仕切り壁８は、例示されるようにリザーバー３上の追加しうるか、またはリザーバーの本体と共に成形することにより単一部分から作製しうる。
【００７２】
この場合、仕切り壁８は、開口２２の上に取り付けられたリング６０により支持される。
【００７３】
リング６０は、任意の手段により、とくにクリップ締結または接着結合により本体２上に取り付けうる。それは取外し可能または取外し不能でありうる。
【００７４】
この場合、リング６０は頸部２４に係合可能である。
【００７５】
これを行うために、リング６０は、一緒になって取付けスカートを規定する外周壁６１と内周壁６２とを含む。
【００７６】
取付けスカートはまた、物質の耐漏れ性を提供する。
【００７７】
代替的に、仏国特許第２９６２８９０号明細書の図１０Ｊに示されるリングも想定しうる。
【００７８】
アプリケーター４は、塗布部材５が取り付けられる掴持部４１を最上端に含む。
【００７９】
掴持部４１はキャップを形成し、リング６０の上周壁６３に取外し可能に係合しうるので、リザーバー３を漏れないように閉める。より特定的には、リング６０の周壁６３は、掴持部の相補的内ネジ部６５と協同可能な外ネジ部６４を支持する。
【００８０】
不使用時およびリング６０への掴持部４１の螺合時、塗布部材５はハウジング７内に受容される（図１）。
【００８１】
本出願によれば、塗布部材５は、連続気泡多孔性材料から、たとえばフォームから作製される。
【００８２】
とくに、塗布部材５は、ポリウレタンフォームとくにＳ９０タイプのもの（ＤＩＮ４１０２−９規格）から作製される。
【００８３】
塗布部材５は、任意の公知の手段により、とくに嵌合、クリップ締結、またはスナップ締結により、掴持部４１上に取り付けられる。
【００８４】
この場合、塗布部材５は、掴持部の対応するシャフト４２内に導入された実質的に円柱状のフット５５を有する。シャフト４２の端壁４３は装着領域を増加させる。端壁４３はまた、並進運動がブロックされることを保証する。
【００８５】
フット５５の反対側に、塗布部材５は、塗布表面５１を規定するヘッド５６を有する。ヘッド５６は円錐状一般形状を有する。ヘッド５６は、頂点５１を形成する自由端または丸形先端を有する。この場合、その結果として頂点５１は絶対頂点である。
【００８６】
ヘッド５６は、フット５５の直径よりもわずかに大きい直径を有するベースを有するので、シャフト４２の縁に当接可能なショルダー５７を有する。このショルダー５７によりとくに塗布部材をより良好に保持できるようになる。
【００８７】
ハウジング７は、ヘッド５６に実質的に相補的な形状を有するように造形される。
【００８８】
図１から分かるように、アプリケーター４はリザーバー３に締結され、塗布部材５はハウジング内の所定の位置にあり、頂点５１はわずかに圧縮される。
【００８９】
塗布表面５１がフロック加工されることにも留意されたい。フロックを適用するために、乾燥後に比較的剛性であるグルーが使用されよう。したがって、乾燥によりグルーは塗布部材５の剛性化を支援する。
【００９０】
上述したように、ハウジング７は、永久開オリフィス９が穿孔されている有孔仕切り壁８を利用してリザーバー３の内側に連通する。
【００９１】
本出願によれば、オリフィス９は、リザーバー３を形成する本体２のハウジング７内の所定の位置に前記塗布部材５があるとき、塗布部材５の頂点５１の近傍に対向するハウジングの少なくとも１つの端壁のみに位置決めされる。
【００９２】
この場合、壁８は３つのオリフィス９を含む。オリフィス９は、壁８の端の中心の近くにかつその周りに規則的に分布する。オリフィスは実質的に円形の断面を有する。この場合、オリフィスの直径は１．５ｍｍである。
【００９３】
したがって、オリフィスの全面積は約５．３ｍｍ２である。好ましくは、開口の全面積は５．５ｍｍ２未満である。各開口の全面積もまた、目詰まり現象を制限さらには防止するのに十分なものとする。
【００９４】
各オリフィス９の中心は、塗布部材の頂点５１に対応する端壁の中心から４．５ｍｍの距離に位置決めされる。好ましくは、オリフィスは、端壁の中心から５ｍｍ未満に位置決めされる。
【００９５】
塗布部材５は、有利には、アプリケーター４がリザーバー３上の所定の位置にあるとき、壁８のオリフィスをすべて閉鎖する。これは、アプリケーターがオリフィスを閉鎖するとき、過剰の物質がハウジング内に流出するのを防止するうえで有用でありうる。
【００９６】
有利には、リザーバー３は、少なくとも１つの混合エレメント、とくに少なくとも１つの混合ビーズ（示されていない）を含む。振盪時または反転時、ビーズは、適宜、物質の均一化の促進さらには粒子の再懸濁を可能にする。
【００９７】
一実施形態によれば、リザーバーは、固体粒子とくに顔料および／または真珠母を含有する液状化粧料を含む。
【００９８】
優先的に組み合わされる化粧組成物
上述したように、化粧料（組成物）は、周囲温度（２５℃）および大気圧（１．０１３×１０５Ｐａ）で液体の形態である。より特定的には、組成物の粘度は、０．２〜０．８Ｐａ・ｓ、好ましくは０．３〜０．７Ｐａ・ｓのさまざまな値をとる。粘度測定は、一般に、Ｎｏ．２スピンドルを備えたＲｈｅｏｍａｔ  ＲＭ１８０粘度計を用いて２５℃で行われ、その測定は、２００回転／分（ｒｐｍ）でスピンドルを組成物内で１０分間回転した後（その後、粘度およびスピンドル回転速度の安定化が観測される）に行われる。
【００９９】
不揮発性オイル
したがって、組成物は、組成物の重量を基準にして少なくとも７０重量％の少なくとも１種の不揮発性オイルまたは少なくともの１種が極性もしくは非極性の炭化水素系オイルから選択されるいくつかの不揮発性オイルの単一相の混合物を含む。
【０１００】
ある温度でホモジナイズおよびＲａｙｎｅｒｉミキサーで混合（５５０ｒｐｍ、１０分間）を行い、周囲温度（および大気圧）で２４時間にわたり密閉容器内に放置して貯蔵した後、周囲温度（２５℃）にて肉眼でまたは位相差顕微鏡下で相分離が観測されない場合、混合物は単一相であると言われる。これらの条件下で、安定な単一相の混合物という用語が用いられる。
【０１０１】
より特定的には、本発明の目的では、「オイル」という語は、２５℃および大気圧（１．０１３×１０５Ｐａ）で液体であるかつ水非混和性である非水性化合物を意味する。「非混和性」という用語は、同一量の水とオイルとの混合により混合後（たとえば、Ｒａｙｎｅｒｉ  ５５０ｒｐｍ、１０分間）、常温常圧条件下で１相のみを含む安定な溶液が得られないことを意味することが意図される。
【０１０２】
「不揮発性オイル」という用語は、２５℃および大気圧での蒸気圧がゼロでないかつ１０−３ｍｍＨｇ（０．１３Ｐａ）未満である、さらに良好には０．０２ｍｍＨｇ（２．６６Ｐａ）未満であるオイルを意味することが意図される。
【０１０３】
「炭化水素系オイル」という用語は、炭素原子および水素原子ならびに任意選択的に酸素原子および窒素原子から本質的に形成された、さらにはそれらからなる、かつケイ素原子やフッ素原子をなんら含有しないオイルを意味することが意図される。
【０１０４】
本発明の目的では、「非極性オイル」という用語は、炭化水素から、すなわち炭素原子と水素原子とのみを含む化合物から選択されるオイルを意味することが意図される。
【０１０５】
非極性不揮発性炭化水素系オイル
これらのオイルは、植物、鉱物、または合成に由来するものでありうる。
【０１０６】
より特定的には、非極性不揮発性炭化水素系オイルは、鉱物または合成に由来する線状または分岐状の炭化水素から選択可能である。
【０１０７】
たとえば、以下のものは本発明を実施するのに好適である。
−  流動パラフィン、
−  スクアラン、
−  イソヘキサデカン、
−  イソエイコサン、
−  ナフタレンオイル、
−  ポリブテン、たとえば、Ａｍｏｃｏ社により販売または製造されているＩｎｄｏｐｏｌ  Ｈ−１００（モル質量またはＭＷ＝９６５ｇ／ｍｏｌ）、Ｉｎｄｏｐｏｌ  Ｈ−３００（ＭＷ＝１３４０ｇ／ｍｏｌ）、およびＩｎｄｏｐｏｌ  Ｈ−１５００（ＭＷ＝２１６０ｇ／ｍｏｌ）、
−  ポリイソブテン、水素化ポリイソブテン、たとえば、日油株式会社により販売されているＰａｒｌｅａｍ（登録商標）、Ａｍｏｃｏ社により販売または製造されているＰａｎａｌａｎｅ  Ｈ−３００Ｅ（ＭＷ＝１３４０ｇ／ｍｏｌ）、Ｓｙｎｔｅａｌ社により販売または製造されているＶｉｓｅａｌ２００００（ＭＷ＝６０００ｇ／ｍｏｌ）、およびＷｉｔｃｏ社により販売または製造されているＲｅｗｏｐａｌ  ＰＩＢ１０００（ＭＷ＝１０００ｇ／ｍｏｌ）、または代替的にＮＯＦ  Ｃｏｒｐｏｒａｔｉｏｎにより販売されているＰａｒｌｅａｍ  Ｌｉｔｅ、
−  デセン／ブテンコポリマーおよびポリブテン／ポリイソブテンコポリマー、とくにＩｎｄｏｐｏｌ  Ｌ−１４、
−  ポリデセンおよび水素化ポリデセン、たとえば、Ｍｏｂｉｌ  Ｃｈｅｍｉｃａｌｓ社により販売または製造されているＰｕｒｅｓｙｎ１０（ＭＷ＝７２３ｇ／ｍｏｌ）およびＰｕｒｅｓｙｎ１５０（ＭＷ＝９２００ｇ／ｍｏｌ）、または代替的にＥｘｘｏｎＭｏｂｉｌ  Ｃｈｅｍｉｃａｌにより販売されているＰｕｒｅｓｙｎ６、
−  ならびにそれらの混合物。
【０１０８】
極性不揮発性炭化水素系オイル
したがって、これらの極性炭化水素系オイルは、炭素原子および水素原子から形成され、かつ少なくとも１つ以上の酸素原子または窒素原子を含むが、ケイ素原子やフッ素原子を含まない。
【０１０９】
その結果、それらは、アルコール、エステル、エーテル、カルボン酸、アミン、および／またはアミドの官能基から選択される少なくとも１つの基を含有する。
【０１１０】
好ましくは、極性不揮発性炭化水素系オイルは、ケイ素やフッ素を含まないことに加えて、窒素やリンなどのヘテロ原子も含まない。
【０１１１】
したがって、この場合は、極性不揮発性炭化水素系オイルはヘテロ原子として１つ以上の酸素原子を含む。
【０１１２】
とくに、極性不揮発性炭化水素系オイルは、少なくとも１つのアルコール官能基を含むか（つまり「アルコールオイル」である）、または少なくとも１つのエステル官能基を含む（つまり「エステルオイル」である）。エステルオイルはとくにヒドロキシル化しうることに留意すべきである。
【０１１３】
組成物は、１種以上の不揮発性炭化水素系オイル、とくに、
−  飽和または不飽和の分岐状または非分岐状のＣ１０〜Ｃ２６、とくにＣ１０〜Ｃ２４、好ましくはＣ１２〜Ｃ２２アルコール、より特定的にはモノアルコール、
から選択されるものを含みうる。
【０１１４】
有利には、Ｃ１０〜Ｃ２６アルコールは脂肪モノアルコールであり、少なくとも１６個の炭素原子を含む場合、好ましくは分岐状である。
【０１１５】
使用しうる脂肪アルコールの例としては、合成に由来するまたは代替的に天然に由来する線状または分岐状の脂肪アルコール、たとえば、植物材料（ココヤシ、パーム核、パームなど）または動物材料（獣脂など）に由来するアルコールが挙げられうる。
【０１１６】
言うまでもないが、他の長鎖状アルコール、たとえば、エーテルアルコールまたは代替的に「ゲルベ」アルコールも使用しうる。
【０１１７】
最後に、さまざまな長さの天然に由来するアルコールのある特定の画分、たとえば、ココヤシ（Ｃ１２〜Ｃ１６）または獣脂（Ｃ１６〜Ｃ１８）またはジオールタイプもしくはコレステロールタイプの化合物も使用しうる。
【０１１８】
好ましく使用しうる脂肪アルコールの特定例としては、とくに、ラウリルアルコール、イソステアリルアルコール、オレイルアルコール、２−ブチルオクタノール、２−ウンデシルペンタデカノール、２−ヘキシルデシルアルコール、イソセチルアルコール、およびオクチルドデカノール、ならびにそれらの混合物が挙げられうる。
【０１１９】
有利な実施形態によれば、アルコールはオクチルドデカノールである。
【０１２０】
−  Ｃ２〜Ｃ８モノカルボン酸またはポリカルボン酸とＣ２〜Ｃ８アルコールとの任意選択的にヒドロキシル化されたモノエステル、ジエステル、またはトリエステル。
とくに、
＊  Ｃ２〜Ｃ８カルボン酸とＣ２〜Ｃ８アルコールとの任意選択的にヒドロキシル化されたモノエステル、
＊  Ｃ２〜Ｃ８ジカルボン酸とＣ２〜Ｃ８アルコールとの任意選択的にヒドロキシル化されたジエステル、たとえば、ジイソプロピルアジペート、２−ジエチルヘキシルアジペート、ジブチルアジペート、または２−ジエチルヘキシルスクシネートなど、
＊  Ｃ２〜Ｃ８トリカルボン酸とＣ２〜Ｃ８アルコールとの任意選択的にヒドロキシル化されたトリエステル、たとえば、クエン酸エステル、たとえば、トリオクチルシトレート、トリエチルシトレート、アセチルトリブチルシトレート、トリブチルシトレート、またはアセチルトリブチルシトレートなど。
【０１２１】
−  Ｃ２〜Ｃ８ポリオールと１つ以上のＣ２〜Ｃ８カルボン酸とのエステル、たとえば、モノ酸のグリコールジエステル、たとえば、とくに、ネオペンチルグリコールジヘプタノエート、プロピレングリコールジオクタノエート、またはモノ酸のグリセロールトリエステル、たとえば、トリアセチン。
【０１２２】
−  エステルオイル、とくに、少なくとも１８個の炭素原子さらにより特定的には１８〜７０個の炭素原子を含有するもの。
【０１２３】
挙げられうる例としては、モノエステル、ジエステル、またはトリエステルが含まれる。
【０１２４】
エステルオイルは、ヒドロキシル化されていてもヒドロキシル化されていなくてもよい。
【０１２５】
したがって、不揮発性エステルオイルは、たとえば、以下のものから選択しうる。
＊  少なくとも１８個の炭素原子を含む、さらにより特定的には合計で１８〜４０個の炭素原子を含むモノエステル、とくに式Ｒ１ＣＯＯＲ２（式中、Ｒ１は、４〜３５個の炭素原子を含む飽和もしくは不飽和の線状もしくは分岐状のまたは芳香族の脂肪酸残基を表し、かつＲ２は、炭化水素系鎖、とくに４〜３５個の炭素原子を含有する分岐状のものを表し、ただし、基Ｒ１およびＲ２の炭素原子の合計は１８個以上であることを条件とする）のモノエステル、たとえば、パーセリン油（セトステアリルオクタノエート）、イソノニルイソノナノエート、２−エチルヘキシルパルミテート、オクチルドデシルネオペンタノエート、２−オクチルドデシルステアレート、２−オクチルドデシルエルケート、イソステアリルイソステアレート、Ｃ１２〜Ｃ１５アルキルベンゾエート、たとえば、２−オクチルドデシルベンゾエート、アルコールまたはポリアルコールのオクタノエート、デカノエート、またはリシノレート、イソプロピルミリステート、イソプロピルパルミテート、ブチルステアレート、ヘキシルラウレート、２−エチルヘキシルパルミテート、２−ヘキシルデシルラウレート、２−オクチルデシルパルミテート、または２−オクチルドデシルミリステート。
【０１２６】
好ましくは、それらは式Ｒ１ＣＯＯＲ２（式中、Ｒ１は、４〜３５個の炭素原子を含む線状または分枝状の脂肪酸残基を表し、かつＲ２は、炭化水素系鎖、とくに４〜３５個の炭素原子を含有する分岐状のものを表し、Ｒ１およびＲ２は、基Ｒ１およびＲ２の炭素原子の合計が１８個以上となるものである）のエステルである。
【０１２７】
＊  とくにラノリン酸、オレイン酸、ラウリン酸、ステアリン酸などの脂肪酸と、グリコールなどのジオールと、のモノエステル、とくに少なくとも１８個の炭素原子さらにより特定的には１８〜２２個の炭素原子を含有するもの、たとえば、プロピレングリコールモノイソステアレート。
【０１２８】
＊  ジエステル、とくに少なくとも１８個の炭素原子を含有するもの、さらにより特定的には合計で１８〜６０個の炭素原子とくに合計で１８〜５０炭素原子を含むもの。とくに、８個超の炭素原子を含む、ジカルボン酸とモノアルコールとのジエステル、好ましくは、たとえば、ジイソステアリルマレート、ジイソステアリルアジペート、またはモノカルボン酸のグリコールジエステル、たとえば、ネオペンチルグリコールジヘプタノエート、ジエチレングリコールジイソノナノアートなど、またはポリグリセリル−２ジイソステアレート（とくにＡｋｚｏ社により商品名Ｄｅｒｍｏｌ  ＤＧＤＩＳとして販売されている化合物など）を使用しうる。
【０１２９】
＊  ヒドロキシル化されたモノエステルおよびジエステル、好ましくは少なくとも１８個さらにより特定的には１８〜７０個の範囲内の炭素原子の全炭素数を有するもの、たとえば、とくにポリグリセリル−３ジイソステアレート、イソステアリルラクテート、オクチルヒドロキシステアレート、オクチルドデシルヒドロキシステアレート、ジイソステアリルマレート、またはグリセリルステアレート。
【０１３０】
＊  トリエステル、とくに少なくとも３５個の炭素原子を含有するもの、さらにより特定的には合計で３５〜７０個の炭素原子を含むもの、とくにたとえばトリカルボン酸のトリエステルなど、たとえば、トリイソステアリルシトレート、トリデシルトリメリテートなど、またはモノカルボン酸のグリセリルトリエステル、たとえば、ポリグリセリル−２トリイソステアレート。
【０１３１】
＊  テトラエステル、とくに少なくとも３５個の炭素原子を含有するもの、さらにより特定的には３５〜７０個の範囲内の全炭素数を有するもの、たとえば、モノカルボン酸のペンタエリトリチルテトラエステルまたはポリグリセリルテトラエステルなど、たとえば、ペンタエリトリチルテトラペラルゴネート、ペンタエリトリチルテトライソステアレート、ペンタエリトリチルテトライソノナノエート、グリセリルトリス（２−デシル）テトラデカノエート、ポリグリセリル−２テトライソステアレート、ペンタエリトリチルテトラキス（２−デシル）テトラデカノエート。
【０１３２】
＊  不飽和脂肪酸ダイマーおよび／またはトリマーとジオールとの縮合により得られるポリエステル、たとえば、仏国特許第０８５３６３４号明細書に記載のもの。とくに、不飽和脂肪酸ダイマーは、２８〜４４個の炭素原子と２個のカルボン酸官能基と２〜４個の不飽和とを含みうる。不飽和脂肪酸トリマーは、４２〜６６個の炭素原子と３個のカルボン酸官能基とさらには３〜６個の不飽和とを含みうる。好ましくは、不飽和脂肪酸ダイマー、とくに３６個の炭素原子と２個のカルボン酸官能基とを含有するものが使用される。不飽和脂肪酸ダイマーおよびトリマーならびに／または不飽和脂肪酸（重合されていないのでモノマーに対応する）の混合物を使用することも可能である。さらに、ジオールは、２〜１０個の炭素原子と２個のヒドロキシル官能基とを含む。とくに、ジリノール酸と１，４−ブタンジオールまたはプロパンジオールとのエステルが挙げられうる。これに関しては、とくに、Ｖｉｓｃｏｐｌａｓｔ１４４３６Ｈ（ＩＮＣＩ名：ジリノール酸／ブタンジオールコポリマー）という名称でＢｉｏｓｙｎｔｈｉｓにより販売されているポリマー、さもなければポリオールとジ酸ダイマーとのコポリマーおよびそのエステル、たとえばＨａｉｌｕｃｅｎｔ  ＩＳＤＡが挙げられうる。
【０１３３】
＊  ジオールダイマーとモノカルボン酸またはジカルボン酸とのエステルおよびポリエステル、たとえば、ジオールダイマーと脂肪酸とのエステルおよびジオールダイマーとジカルボン酸ダイマーとのエステル、とくにＣ８〜Ｃ３４、とくにＣ１６〜Ｃ２０の不飽和脂肪酸のダイマー化からとくに得られるジカルボン酸ダイマーからとくに得られうるもの、より特定的にはジリノール酸ジ酸とジリノール酸ジオールダイマーとのエステル、たとえば、Ｌｕｓｐｌａｎ  ＤＤ−ＤＡ５（登録商標）およびＤＤ−ＤＡ７（登録商標）という商品名で日本精化株式会社により販売されているもの。
【０１３４】
＊  任意選択的に不飽和である脂肪族モノカルボン酸によるおよび脂肪族ジカルボン酸によるヒドロキシル化カルボン酸の少なくとも１種のトリグリセリドのエステル化から得られるポリエステル、たとえば、ＺｅｎｉｔｅｃｈによりＺｅｎｉｇｌｏｓｓという商品名で販売さているコハク酸・イソステアリン酸カスターオイル。
【０１３５】
＊  天然または合成に由来するトリグリセリドオイル、たとえば、炭化水素系植物オイル、たとえば、ホホバオイルなど、および不飽和トリグリセリド、たとえば、カスターオイル、オリーブオイル、キシメニアオイル、またはプラカシーオイル、脂肪酸トリグリセリド（周囲温度および大気圧で液体のもの）、とくに、少なくとも７個の炭素原子を含有する、さらにより特定的には７〜４０個の炭素原子を含有する飽和または不飽和の脂肪酸のトリグリセリド、たとえば、ヘプタン酸またはオクタン酸のトリグリセリド、または飽和トリグリセリド、たとえば、カプリル酸／カプリン酸トリグリセリドおよびそれらの混合物、たとえば、Ｃｏｇｎｉｓ社からのＭｙｒｉｔｏｌ３１８という商品名で販売されている物質、グリセリルトリヘプタノエート、グリセリルトリオクタノエート、およびＣ１８〜３６酸トリグリセリド、たとえば、Ｓｔｅａｒｉｎｅｒｉｅｓ  ＤｕｂｏｉｓによりＤｕｂ  ＴＧＩ２４という商品名で販売されているもの。
−  ビニルピロリドン／１−ヘキサデセンコポリマー、たとえば、ＩＳＰ社によりＡｎｔａｒｏｎ  Ｖ−２１６（Ｇａｎｅｘ  Ｖ２１６としても知られる）という品名で販売されている物質）。
−  Ｃ１２〜Ｃ２６脂肪酸、好ましくはＣ１２〜Ｃ２２脂肪酸、好ましくは不飽和のもの、たとえば、オレイン酸、リノール酸、またはリノレン酸、およびそれらの混合物。
−  ジアルキルカーボネート（２本のアルキル鎖は同一であることも異なることもありうる）、たとえば、Ｃｏｇｎｉｓ社によりＣｅｔｉｏｌ  ＣＣ（登録商標）という品名で販売されているジカプリリルカーボネート。
−  ならびにそれらの混合物。
【０１３６】
不揮発性フェニルシリコーンオイル
組成物は、任意選択的に少なくとも１種の不揮発性フェニルシリコーンオイルを含みうる。
【０１３７】
「フェニルシリコーンオイル」という表現は、少なくとも１つのフェニル置換基を有するシリコーンオイルを意味する。
【０１３８】
これらの不揮発性フェニルシリコーンオイルは、少なくとも１つのジメチコンフラグメントも有するものからまたはなんら有していないものから選択しうる。
【０１３９】
「ジメチコンフラグメント」という用語は、ケイ素原子が２個のメチル基を有する２価のシロキサン基を意味するが、この基は分子の末端に位置しない。それは次式：−（Ｓｉ（ＣＨ３）２−Ｏ）−により表しうる。
【０１４０】
したがって、不揮発性フェニルシリコーンオイルは以下のものから選択しうる。
ａ）以下の式（Ｉ）：
【化１】
2018531675.tif 000003
（式中、１価または２価の基Ｒは、互いに独立して、メチル、メチレン、フェニル、またはフェニレンを表すが、ただし、少なくとも１個の基Ｒはフェニルを表す）
に対応するジメチコンフラグメントを任意選択的に有するフェニルシリコーンオイル。
【０１４１】
より特定的には、式（Ｉ）のフェニルシリコーンオイルは、少なくとも３個、たとえば少なくとも４個、有利には少なくとも５個または少なくとも６個のフェニル基を含む。
ｂ）以下の式（ＩＩ）：
【化２】
2018531675.tif 000004
（式中、基Ｒは、互いに独立して、メチルまたはフェニルを表すが、ただし、少なくとも１個の基Ｒはフェニルを表す）
に対応するジメチコンフラグメントを任意選択的に有するフェニルシリコーンオイル。
【０１４２】
好ましくは、この式中、式（ＩＩ）の化合物は、少なくとも３個、たとえば少なくとも４個または少なくとも５個のフェニル基を含む。
【０１４３】
以上に記載のさまざまなフェニルシリコーン化合物の混合物も使用しうる。
【０１４４】
式（ＩＩ）の化合物のうち、少なくとも４個または少なくとも５個の基Ｒがフェニル基を表し、残りの基がメチルを表して、ジメチコンフラグメントをなんら有していないフェニルシリコーンオイルがとくに挙げられうる。
【０１４５】
かかる不揮発性フェニルシリコーンオイルは、好ましくはトリメチルペンタフェニルトリシロキサンまたはテトラメチルテトラフェニルトリシロキサン、たとえば、Ｄｏｗ  Ｃｏｒｎｉｎｇ社により販売されているＰＨ−１５５５  ＨＲＩまたはＤｏｗ  Ｃｏｒｎｉｎｇ  ５５５  Ｃｏｓｍｅｔｉｃ  Ｆｌｕｉｄ（ＩＮＣＩ名：トリメチルペンタフェニルトリシロキサン）およびＤｏｗ  Ｃｏｒｎｉｎｇ製のＤｏｗ  Ｃｏｒｎｉｎｇ  ５５４  Ｃｏｓｍｅｔｉｃ  Ｆｌｕｉｄ（ＩＮＣＩ名：テトラメチル−テトラフェニル−トリシロキサン）である。
【０１４６】
それらは、とくに次式（ＩＩＩ）、（ＩＩＩ’）： 
【化３】
2018531675.tif 000005
（式中、Ｍｅはメチルを表し、かつＰｈはフェニルで表す）
に相当する。
ｃ）以下の式（ＩＶ）：
【化４】
2018531675.tif 000006
（式中、Ｍｅはメチルを表し、ｙは１〜１０００であり、かつＸは−ＣＨ２−ＣＨ（ＣＨ３）（Ｐｈ）を表す）
に対応する少なくとも１つのジメチコンフラグメントを有するフェニルシリコーンオイル。
ｄ）以下の式（Ｖ）：
【化５】
2018531675.tif 000007
（式中、
−  Ｒ１〜Ｒ１０は、互いに独立して、飽和または不飽和の線状、環状、または分岐状のＣ１〜Ｃ３０炭化水素系基であり、
−  ｍ、ｎ、ｐ、およびｑは、互いに独立して、０〜９００の整数であるが、ただし、和ｍ＋ｎ＋ｑは０以外である）
に対応するフェニルシリコーンオイルおよびそれらの混合物。
【０１４７】
好ましくは、和ｍ＋ｎ＋ｑは１〜１００である。有利には、和ｍ＋ｎ＋ｐ＋ｑは１〜９００、好ましくは１〜８００である。
【０１４８】
好ましくは、ｑは０に等しい。
【０１４９】
より特定的には、Ｒ１〜Ｒ１０は、互いに独立して、飽和もしくは不飽和の、好ましくは飽和の、線状もしくは分岐状のＣ１〜Ｃ３０炭化水素系基、とくに好ましくは飽和Ｃ１〜Ｃ２０とくにＣ１〜Ｃ１８炭化水素系基、または単環式もしくは多環式のＣ６〜Ｃ１４とくにＣ１０〜Ｃ１３アリール基、またはアラルキル基（そのアルキル部分は好ましくはＣ１〜Ｃ３アルキルである）を表す。
【０１５０】
好ましくは、Ｒ１〜Ｒ１０は、それぞれ、メチル基、エチル基、プロピル基、ブチル基、イソプロピル基、デシル基、ドデシル基、もしくはオクタデシル基、または代替的にフェニル基、トリル基、ベンジル基、もしくはフェネチル基を表しうる。Ｒ１〜Ｒ１０は、とくに同一でありうるとともにメチル基でありうる。
【０１５１】
式（Ｖ）の第１のより特定的な実施形態によれば、以下のものが挙げられうる。
ｉ）以下の式（ＶＩ）：
【化６】
2018531675.tif 000008
（式中、
−  Ｒ１〜Ｒ６は、互いに独立して、飽和または不飽和の線状、環状、または分岐状のＣ１〜Ｃ３０炭化水素系基、好ましくはＣ６〜Ｃ１４アリール基またはアラルキル基であり、それらのアルキル部分はＣ１〜Ｃ３アルキルであり、
−  ｍ、ｎ、およびｐは、互いに独立して、０〜１００の整数であるが、ただし、和ｎ＋ｍは１〜１００である）
に対応する少なくとも１つのジメチコンフラグメントを任意選択的に有するフェニルシリコーンオイルおよびそれらの混合物。
【０１５２】
好ましくは、Ｒ１〜Ｒ６は、互いに独立して、Ｃ１〜Ｃ２０とくにＣ１〜Ｃ１８炭化水素系基、好ましくはアルキル基、または単環式（好ましくはＣ６）もしくは多環式のＣ６〜Ｃ１４とくにＣ１０〜Ｃ１３アリール基、またはアラルキル基（好ましくは、アリール部分はＣ６アリールであり、アルキル部分はＣ１〜Ｃ３アルキルである）を表す。
【０１５３】
好ましくは、Ｒ１〜Ｒ６は、それぞれ、メチル基、エチル基、プロピル基、ブチル基、イソプロピル基、デシル基、ドデシル基、もしくはオクタデシル基、または代替的にフェニル基、トリル基、ベンジル基、もしくはフェネチル基を表す。
【０１５４】
Ｒ１〜Ｒ６は、とくに同一でありうるとともにメチル基でありうる。式（ＶＩ）中、好ましくは、ｍ＝１もしくは２もしくは３、および／またはｎ＝０、および／またはｐ＝０もしくは１を適用しうる。
【０１５５】
好ましくは、以下の式（ＶＩ）の化合物に対応するオイルを使用しうる。
Ａ）ｍ＝０、かつｎおよびｐは、互いに独立して、１〜１００の整数である。
【０１５６】
好ましくは、Ｒ１〜Ｒ６はメチル基である。
【０１５７】
この実施形態によれば、シリコーンオイルは、好ましくはジフェニルジメチコン、たとえば、信越化学工業株式会社製のＫＦ−５４（４００ｃＳｔ）、信越化学工業株式会社製のＫＦ５４ＨＶ（５０００ｃＳｔ）、信越化学工業株式会社製のＫＦ−５０−３００ＣＳ（３００ｃＳｔ）、信越化学工業株式会社製のＫＦ−５３（１７５ｃＳｔ）、または信越化学工業株式会社製のＫＦ−５０−１００ＣＳ（１００ｃＳｔ）から選択される。
【０１５８】
Ｂ）ｐは１〜１００であり、和ｎ＋ｍは１〜１００であり、かつｎ＝０。
【０１５９】
少なくとも１つのジメチコンフラグメントを任意選択的に有するこれらのフェニルシリコーンオイルは、より特定的には、以下の式（ＶＩＩ）：
【化７】
2018531675.tif 000009
（式中、Ｍｅはメチルであり、かつＰｈはフェニルであり、ＯＲ’は−ＯＳｉＭｅ３を表し、かつｐは０でありまたは１〜１０００であり、かつｍは１〜１０００である。とくに、ｍおよびｐは、化合物（ＶＩＩ）を不揮発性オイルにするものである。）
に相当する。
【０１６０】
少なくとも１つのジメチコンフラグメントを有する不揮発性フェニルシリコーンの第１の実施形態では、ｐは１〜１０００である。ｍは、より特定的には、化合物（ＶＩＩ）を不揮発性オイルにするものである。たとえば、トリメチルシロキシフェニルジメチコン、とくにＷａｃｋｅｒ社によりＢｅｌｓｉｌ  ＰＤＭ１０００として販売されているものを使用しうる。
【０１６１】
ジメチコンフラグメントを有していない不揮発性フェニルシリコーンの第２の実施形態によれば、ｐは０に等しい。ｍは１〜１０００であり、とくに化合物（ＶＩＩ）を不揮発性オイルにするものである。
【０１６２】
フェニルトリメチルシロキシトリシロキサン、たとえば、とくにＤｏｗ  Ｃｏｒｎｉｎｇ社によりＤｏｗ  Ｃｏｒｎｉｎｇ  ５５６  Ｃｏｓｍｅｔｉｃ  Ｇｒａｄｅ  Ｆｌｕｉｄ（ＤＣ５５６）という商品名で販売されているものを使用しうる。
【０１６３】
ｉｉ）ジメチコンフラグメントを有していない以下の式（ＶＩＩＩ）：
【化８】
2018531675.tif 000010
（式中、
−  Ｒは、互いに独立して、飽和または不飽和の線状、環状、または分岐状のＣ１〜Ｃ３０炭化水素系基であり、好ましくはＲは、Ｃ１〜Ｃ３０アルキル基、好ましくはＣ６〜Ｃ１４アリール基またはアラルキル基であり、それらのアルキル部分はＣ１〜Ｃ３アルキルであり、
−  ｍおよびｎは、互いに独立して、０〜１００の整数であるが、ただし、和ｎ＋ｍは１〜１００である）
に対応する不揮発性フェニルシリコーンオイルおよびそれらの混合物。
【０１６４】
より特定的には、Ｒは、互いに独立して、飽和もしくは不飽和の、好ましくは飽和の、線状もしくは分岐状のＣ１〜Ｃ３０炭化水素系基、とくに好ましくは飽和Ｃ１〜Ｃ２０とくにＣ１〜Ｃ１８より特定的にはＣ４〜Ｃ１０炭化水素系基、単環式もしくは多環式のＣ６〜Ｃ１４とくにＣ１０〜Ｃ１３アリール基、またはアラルキル基（好ましくは、アリール部分はＣ６アリールであり、かつアルキル部分はＣ１〜Ｃ３アルキルである）を表す。
【０１６５】
好ましくは、Ｒは、それぞれ、メチル基、エチル基、プロピル基、ブチル基、イソプロピル基、デシル基、ドデシル基、もしくはオクタデシル基、または代替的にフェニル基、トリル基、ベンジル基、もしくはフェネチル基を表す。
【０１６６】
基Ｒは、とくに同一でありうるとともにメチル基でありうる。
【０１６７】
式（ＶＩＩＩ）中、好ましくは、ｍ＝１もしくは２もしくは３、および／またはｎ＝０、および／またはｐ＝０もしくは１を適用しうる。
【０１６８】
好ましい一実施形態によれば、式（ＶＩＩＩ）中、ｎは０〜１００の整数であり、かつｍは１〜１００の整数であるが、ただし、和ｎ＋ｍは１〜１００である。好ましくは、Ｒはメチル基である。
【０１６９】
この実施形態によれば、不揮発性フェニルシリコーンオイルは、好ましくは、フェニルトリメチコン（ｎ＝０のとき）、たとえば、Ｄｏｗ  Ｃｏｒｎｉｎｇ製のＤＣ５５６、さもなければジフェニルシロキシフェニルトリメチコンオイル（ｍおよびｎが１〜１００のとき）、たとえば、信越化学工業株式会社製のＫＦ５６  ＡまたはＲｈｏｎｅ−Ｐｏｕｌｅｎｃ製のＳｉｌｂｉｏｎｅ  ７０６６３Ｖ３０オイルから選択される。
【０１７０】
ｅ）少なくとも１つのジメチコンフラグメントを任意選択的に有する以下の式：
【化９】
2018531675.tif 000011
（式中、
Ｒ１、Ｒ２、Ｒ５、およびＲ６は、同一であっても異なっていてもよく、１〜６個の炭素原子を含有するアルキル基であり、
Ｒ３およびＲ４は、同一であっても異なっていてもよく、１〜６個の炭素原子を含有するアルキル基またはアリール基（好ましくはＣ６〜Ｃ１４）であるが、ただし、Ｒ３およびＲ４の少なくとも１つはフェニル基であり、
Ｘは、１〜６個の炭素原子を含有するアルキル基、ヒドロキシル基、またはビニル基であり、
ｎおよびｐは、オイルの重量平均分子質量が２０００００ｇ／ｍｏｌ未満、好ましくは１５００００ｇ／ｍｏｌ未満、より好ましくは１０００００ｇ／ｍｏｌ未満になるように選択される１以上の整数である）
に対応するフェニルシリコーンオイルおよびそれらの混合物。
【０１７１】
ｆ）ならびにそれらの混合物。
【０１７２】
したがって、組成物は、組成物の重量を基準にして少なくとも７０重量％の不揮発性オイルまたは少なくともの１種が極性もしくは非極性の不揮発性炭化水素系オイルであるいくつかの不揮発性オイルの単一相の混合物を含む。より特定的には、不揮発性オイルの含有率は、組成物の重量を基準にして７０重量％〜９０重量％、より特定的には７５重量％〜９０重量％、好ましくは７５重量％〜８５重量％を示す。
【０１７３】
組成物が少なくとも１種の不揮発性フェニルシリコーンオイルを含む場合、その含有率は、組成物の重量を基準にして、好ましくは２０重量％を超えない、より有利には１５重量％を超えない、さらにより好ましくは１０重量％を超えない。
【０１７４】
特定の一実施形態によれば、組成物は不揮発性フェニルシリコーンオイルをなんら含まない。
【０１７５】
組成物が不揮発性オイルの混合物を含む場合、前記混合物は好ましくは単一相であることに留意すべきである。より特定的には、ある温度でホモジナイズおよびＲａｙｎｅｒｉミキサーで混合（５５０ｒｐｍ、１０分間）を行い、周囲温度（および大気圧）で２４時間にわたり密閉容器内に放置して貯蔵した後、周囲温度（２５℃）にて肉眼でまたは位相差顕微鏡下で相分離が観測されない場合、混合物は単一相であると言われる。
【０１７６】
好ましくは、組成物は、より特定的にはエステルオイル、とくに合計で少なくとも１８個の炭素原子を含むヒドロキシル化または非ヒドロキシル化のモノエステルおよびジエステル、とくに少なくとも３５個の炭素原子を含有するトリエステル、とくに少なくとも３５個の炭素原子を含有するテトラエステル、およびそれらの混合物から選択される、少なくとも１種の極性不揮発性炭化水素系オイルを含む。
【０１７７】
組成物は、より特定的には水素化または非水素化ポリブテン、水素化または非水素化ポリイソブテン、水素化または非水素化ポリデセン、およびそれらの混合物から選択される、好ましくは少なくとも１種の非極性不揮発性炭化水素系オイルをさらに含む。
【０１７８】
とくに有利な一実施形態によれば、組成物は、極性および非極性の炭化水素系オイルの混合物を含む。
【０１７９】
好ましくは、非極性不揮発性炭化水素系オイルに対する極性不揮発性炭化水素系オイルの重量割合は、１以上、より有利には２以上である。
【０１８０】
鉱物増粘剤
組成物は、少なくとも１種の鉱物増粘剤、より特定的には好ましくは疎水性の任意選択的に改質された有機親和性クレー、シリカ、およびそれらの混合物から選択されるものを含む。
【０１８１】
特定の一実施形態によれば、組成物は、モンモリロナイト、ベントナイト、ヘクトライト、アタパルジャイト、セピオライト、およびそれらの混合物から選択される、少なくとも１種の好ましくは改質された有機親和性クレーを含む。クレーは、より有利にはベントナイトまたはヘクトライトである。
【０１８２】
これらのクレーは、第４級アミン、第３級アミン、アミン酢酸、イミダゾリン、アミン石鹸、脂肪スルフェート、アルキルアリールスルホネート、およびアミンオキシドから選択される化学化合物およびそれらの混合物を用いて改質される。
【０１８３】
たとえば、第４級アミン、より特定的にはＣ１０〜Ｃ２２脂肪酸アンモニウムハロゲン化物、たとえば塩化物を用いて改質されたヘクトライト、たとえば、ジステアリルジメチルアンモニウムクロリドを用いて改質されたヘクトライト（ＣＴＦＡ名：ジステアルジモニウムヘクトライト）、たとえば、Ｅｌｅｍｅｎｔｉｓ社によりＢｅｎｔｏｎｅ  ３８Ｖ（登録商標）、Ｂｅｎｔｏｎｅ  ３８Ｖ  ＣＧ、またはＢｅｎｔｏｎｅ  ＥＷ  ＣＥという商品名で販売されている物質、またはステアラルコニウムヘクトライト、たとえば、Ｂｅｎｔｏｎｅ  ２７Ｖが挙げられうる。
【０１８４】
また、クアテルニウム−１８ベントナイト、たとえば、Ｅｌｅｍｅｎｔｉｓ社によりＢｅｎｔｏｎｅ  ３４、Ｕｎｉｔｅｄ  Ｃａｔａｌｙｓｔ社によりＴｉｘｏｇｅｌ  ＶＰ、およびＳｏｕｔｈｅｒｎ  Ｃｌａｙ社によりＣｌａｙｔｏｎｅ  ４０という商品名で販売されているもの、ステアラルコニウムベントナイト、たとえば、Ｕｎｉｔｅｄ  Ｃａｔａｌｙｓｔ社によりＴｉｘｏｇｅｌ  ＬＧ、ならびにＳｏｕｔｈｅｒｎ  Ｃｌａｙ社によりＣｌａｙｔｏｎｅ  ＡＦおよびＣｌａｙｔｏｎｅ  ＡＰＡという品名で販売されているもの、またはクアテルニウム−１８／ベンザルコニウムベントナイト、たとえば、Ｓｏｕｔｈｅｒｎ  Ｃｌａｙ社によりＣｌａｙｔｏｎｅ  ＨＴという品名で販売されているものも挙げられうる。
【０１８５】
好ましい一実施形態によれば、増粘剤は、任意選択的に改質された有機親和性クレー、とくにベンジルジメチルアンモニウムステアレートクロリドを用いてまたはジステアリルジメチルアンモニウムクロリドを用いて改質された有機親和性ヘクトライトから選択される。
【０１８６】
組成物はまた、ヒュームドシリカ（好ましくは疎水処理されたもの）、シリカエアロゲル、およびそれらの混合物から選択される少なくとも１種の好ましくは疎水性のシリカを鉱物増粘剤として含みうる。
【０１８７】
たとえば、より特定的には１μｍ未満の粒子サイズを有する好ましくは表面が疎水処理されたヒュームドシリカが挙げられうる。たとえば、とくに以下の疎水性基を用いてシラノール基を置き換えることが可能である。
【０１８８】
−  とくにヘキサメチルジシラザンの存在下でヒュームドシリカを処理することにより得られるトリメチルシロキシル基。こうして処理されたシリカは、ＣＴＦＡ（第６版、１９９５年）によると「シリカシリレート」として知られている。それらは、たとえば、Ｄｅｇｕｓｓａ社によりＡｅｒｏｓｉｌ  Ｒ８１２（登録商標）およびＣａｂｏｔ社によりＣａｂ−Ｏ−Ｓｉｌ  ＴＳ−５３０（登録商標）という商品名で販売されている。
【０１８９】
−  とくにポリジメチルシロキサンまたはジメチルジクロロシランの存在下でヒュームドシリカを処理することによるで得られるジメチルシリルオキシル基またはポリジメチルシロキサン基。こうして処理されたシリカは、ＣＴＦＡ（第６版、１９９５年）によると「シリカジメチルシリレート」として知られている。それらは、たとえば、Ｄｅｇｕｓｓａ社によりＡｅｒｏｓｉｌ  Ｒ９７２（登録商標）およびＡｅｒｏｓｉｌ  Ｒ９７４（登録商標）ならびにＣａｂｏｔ社によりＣａｂ−Ｏ−Ｓｉｌ  ＴＳ−６１０（登録商標）およびＣａｂ−Ｏ−Ｓｉｌ  ＴＳ−７２０（登録商標）という商品名で販売されている。
【０１９０】
とくに疎水性ヒュームドシリカは、たとえば５〜２００ｎｍの範囲内の粒子サイズを有する。
【０１９１】
シリカエアロゲルは、シリカゲルの液体成分を空気に置き換えることにより（乾燥させることにより）得られる多孔性材料である。
【０１９２】
使用可能な疎水性シリカエアロゲル粒子は、５００〜１５００ｍ２／ｇ、好ましくは６００〜１２００ｍ２／ｇ、さらに良好には６００〜８００ｍ２／ｇの範囲内の比表面積／単位質量（ＳＭ）と、１〜１５００μｍ、さらに良好には１〜１０００μｍ、好ましくは１〜１００μｍ、とくに１〜３０μｍ、より好ましくは５〜２５μｍ、さらに良好には５〜２０μｍ、さらにより好ましくは５〜１５μｍの範囲内の体積平均直径として表されるサイズ（Ｄ［０．５］）と、を有する。
【０１９３】
一実施形態によれば、好適な疎水性シリカエアロゲル粒子は、１〜３０μｍ、好ましくは５〜２５μｍ、さらに良好には５〜２０μｍ、さらにより好ましくは５〜１５μｍの範囲内の体積平均直径として表されるサイズ（Ｄ［０．５］）を有する。
【０１９４】
比表面積／単位質量は、Ｊｏｕｒｎａｌ  ｏｆ  ｔｈｅ  Ａｍｅｒｉｃａｎ  Ｃｈｅｍｉｃａｌ  Ｓｏｃｉｅｔｙ，ｖｏｌ．６０，ｐａｇｅ  ３０９，Ｆｅｂｒｕａｒｙ  １９３８および対応する国際規格ＩＳＯ５７９４／１（補遺Ｄ）に記載のＢＥＴ（ブルナウアー・エメット・テラー）法として知られる窒素吸収方法により、決定しうる。ＢＥＴ比表面積は、検討対象の粒子の全比表面積に対応する。
【０１９５】
シリカエアロゲル粒子のサイズは、Ｍａｌｖｅｒｎ製のＭａｓｔｅｒＳｉｚｅｒ  ２０００型の市販の粒子サイズアナライザーを用いて静的光散乱により測定可能である。データはミー散乱理論に基づいて処理される。非球状粒子の場合、等方的粒子に対して正確なこの理論により「有効」粒子直径を決定可能である。この理論は、とくに、Ｖａｎ  ｄｅ  Ｈｕｌｓｔ，Ｈ．Ｃ．，Ｌｉｇｈｔ  Ｓｃａｔｔｅｒｉｎｇ  ｂｙ  Ｓｍａｌｌ  Ｐａｒｔｉｃｌｅｓ，Ｃｈａｐｔｅｒｓ  ９  ａｎｄ  １０，Ｗｉｌｅｙ，Ｎｅｗ  Ｙｏｒｋ，１９５７の出版物に記載されている。
【０１９６】
有利な実施形態によれば、使用可能な疎水性シリカエアロゲル粒子は、６００〜８００ｍ２／ｇの範囲内の比表面積／単位質量（ＳＭ）と、５〜２０μｍ、さらにより好ましくは５〜１５μｍの範囲内の体積平均直径として表されるサイズ（Ｄ［０．５］）と、を有する。
【０１９７】
使用されるエアロゲルは、疎水性シリカのエアロゲル、好ましくはシリル化シリカ（ＩＮＣＩ名：シリカシリレート）である。
【０１９８】
「疎水性シリカ」とは、シリル基Ｓｉ−Ｒｎたとえばトリメチルシリル基を用いてＯＨ基を官能基化するために、シリル化剤、たとえばハロゲン化シランたとえばアルキルクロロシラン、シロキサンとくにジメチルシロキサンたとえばヘキサメチルジシロキサン、またはシラザンを用いて表面処理された任意のシリカを意味することが意図される。
【０１９９】
シリル化により表面改質された疎水性シリカエアロゲル粒子の調製に関しては、米国特許第７４７０７２５号明細書を参照しうる。
【０２００】
好ましくは、トリメチルシリル基により表面改質された疎水性シリカエアロゲル粒子が使用されよう。
【０２０１】
本発明に使用可能な疎水性シリカエアロゲルとしては、たとえば、Ｄｏｗ  Ｃｏｒｎｉｎｇにより販売されているエアロゲルＶＭ−２２６０（ＩＮＣＩ名：シリカシリレート：平均サイズ約１０００μｍ；比表面積／単位質量：６００〜８００ｍ２／ｇ）、Ｃａｂｏｔにより販売されているＡＥＲＯＧＥＬ  ＴＬＤ  ２０１、ＡＥＲＯＧＥＬ  ＯＧＤ  ２０１、ＡＥＲＯＧＥＬ  ＴＬＤ  ２０３、ＥＮＯＶＡ（登録商標）ＡＥＲＯＧＥＬ  ＭＴ  １１００、ＥＮＯＶＡ  ＡＥＲＯＧＥＬ  ＭＴ  １２００が挙げられうる。好ましくは、Ｄｏｗ  Ｃｏｒｎｉｎｇにより販売されているエアロゲルＶＭ−２２７０（ＩＮＣＩ名：シリカシリレート：平均サイズ：５〜１５μｍ、比表面積／単位質量：６００〜８００ｍ２／ｇ）が使用される。
【０２０２】
好ましくは、鉱物増粘剤は、親有機性クレーとくに改質ヘクトライトから選択される。
【０２０３】
特定の一実施形態によれば、鉱物増粘剤の含有率は、活性材料で表したときに組成物の重量を基準にして０．２重量％〜２重量％、好ましくは０．３重量％〜１．５重量％の範囲内である。
【０２０４】
Ｃ２〜Ｃ８モノアルコール
組成物は、２〜８個の炭素原子、とりわけ２〜６個の炭素原子、とくに２〜４個の炭素原子を含む少なくとも１種の線状または分岐状の、好ましくは飽和のモノアルコールを含みうる。
【０２０５】
モノアルコールとしては、エタノール、イソプロパノール、プロパノール、またはブタノール、好ましくはエタノールが挙げられうる。
【０２０６】
Ｃ２〜Ｃ８モノアルコールの含有率は、組成物がそれを含有する場合、組成物の重量を基準にして６重量％以下、好ましくは４重量％以下である。
【０２０７】
組成物は、以上に挙げたＣ２〜Ｃ８モノアルコールをなんら含んでいなくてもよい。
【０２０８】
非イオン性シリコーン界面活性剤
組成物は、オキシアルキレン化、好ましくはオキシエチレン化ポリジメチルシロキサン、アルキルまたはアルコキシジメチコンコポリオール、およびそれらの混合物からとくに選択される少なくとも１種の非イオン性シリコーン界面活性剤をさらに含む。シリコーン界面活性剤は、有利にはシリコーンエラストマーでない。
【０２０９】
好ましくは、シリコーン界面活性剤は、主鎖上にポリオキシアルキレン鎖、より特定的にはポリオキシエチレン鎖またはポリオキシプロピレン鎖またはそれらの組合せ（側鎖またはペンダント鎖のポリオキシエチレンまたはポリオキシプロピレン）を含む。
【０２１０】
エチレンオキシド単位の数は、０〜１００、好ましくは２〜５０、さらにより特定的には５〜２０の範囲内でありうる。化合物がエチレンオキシド単位のみを含有する場合、その数は強正実性である。プロピレンオキシド単位の数は０〜８０の範囲内でありうる。好ましくは、化合物はプロピレンオキシド単位のみを含有しない。
【０２１１】
かかるシリコーン界面活性剤は、とくに、ＫＦ−６０１７という名称で信越化学工業株式会社により販売されているＰＥＧ−１０ジメチコンと呼ばれるものである。
【０２１２】
そのほかに好適なのは、ペンダントであるまたはシリコーン主鎖の末端にあるたとえば６〜２２個の炭素原子を含有するアルキル鎖またはアルコキシ鎖を有するアルキルまたはアルコキシジメチコンコポリオールである。
【０２１３】
とくに、界面活性剤は、Ｃ８〜Ｃ２２アルキルジメチコンコポリオール、すなわちオキシプロピレン化および／またはオキシエチレン化ポリメチル（Ｃ８〜Ｃ２２）アルキルジメチルメチルシロキサンでありうる。
【０２１４】
例としては、セチルジメチコンコポリオール（ＩＮＣＩ名：セチルＰＥＧ／ＰＰＧ−１０／１ジメチコン）、たとえば、Ｅｖｏｎｉｋ  Ｇｏｌｄｓｃｈｍｉｄｔ社によりＡｂｉｌ  ＥＭ−９０という商品名で販売されている物質が挙げられうる。
【０２１５】
好ましくは、非イオン性シリコーン界面活性剤は、オキシアルキレン化、好ましくはオキシエチレン化ポリジメチルシロキサンから選択される。
【０２１６】
第１の実施形態によれば、非イオン性シリコーン界面活性剤の含有率は、組成物の重量を基準にして少なくとも１重量％である。好ましくは、非イオン性シリコーン界面活性剤の含有率は、組成物の重量を基準にして１重量％〜３重量％、好ましくは１重量％〜２重量％の範囲内である。
【０２１７】
この変形形態によれば、組成物は貯蔵時に沈降する。高含有率のオイルを有するかつ着色または無色の固体粒子を含む流体組成物とは異なり、組成物は、包装容器を単に手で振盪させるだけで容易に再懸濁可能であるという利点を有する。
【０２１８】
以下の条件下の測定で２５℃にて４８時間放置した後に上澄み液が出現した場合、組成物は沈降すると言われる。
【０２１９】
直径６．３５ｍｍの２つの鋼球を含むかつストッパーを備える高さ４６．９ｍｍおよび半径１５ｍｍの円筒状ポリエチレンテレフタレート容器が使用される。
【０２２０】
組成物は、ボトルの高さが３．５ｃｍに達するように（約４．５ｇの組成物に相当する）かつボトルにストッパーが付けられるように導入される。
【０２２１】
前記ボトルを２５℃の温度で４８時間放置する。
【０２２２】
４８時間後、上澄み液の高さを測定する。
【０２２３】
上澄み液の高さが組成物の全高さの少なくとも５％、好ましくは組成物の全高さの少なくとも１５％を占める場合、組成物は沈降するとみなされる。
【０２２４】
第２の実施形態によれば、組成物は、組成物の重量を基準にして１重量％未満の含有率の非イオン性シリコーン界面活性剤を含む。好ましくは、非イオン性シリコーン界面活性剤の含有率は、組成物の重量を基準にして０．２〜１重量％未満、好ましくは０．２〜０．９重量％の範囲内である。
【０２２５】
この変形形態によれば、組成物は、先に指定した条件下で安定であり沈降しない。
【０２２６】
固体粒子
以上に述べたように、組成物は少なくとも着色または非着色の固体粒子を含む。
【０２２７】
好ましくは、固体粒子は、単独でまたは混合物として好ましくはプレートレット状の顔料および充填剤から選択される。
【０２２８】
顔料
より特定的には、鉱物顔料、有機顔料、または複合顔料、およびそれらの混合物は、顔料と呼ばれる。
【０２２９】
「顔料」という用語は、組成物の媒体に不溶であるかつ組成物および／または組成物を用いて生成される堆積物を着色および／または不透明化することが意図された、白色もしくは着色の粒子または色効果を与える粒子を意味するものと理解すべきである。
【０２３０】
したがって、顔料は、単色鉱物顔料、有機レーキ、真珠母、および光学効果を有する顔料、たとえば、反射顔料およびゴニオクロマティック顔料から選択しうる。
【０２３１】
鉱物顔料は、金属酸化物顔料、酸化クロム、酸化鉄、二酸化チタン、酸化亜鉛、酸化セリウム、酸化ジルコニウム、マンガンバイオレット、プルシアンブルー、ウルトラマリンブルー、フェリックブルー、およびクロム水和物、ならびにそれらの混合物から選択しうる。
【０２３２】
それらはまた、たとえば、セリサイト／褐色酸化鉄／二酸化チタン／シリカ型でありうる構造を有する顔料であってもよい。かかる顔料は、たとえば、Ｃｈｅｍｉｃａｌｓ  ａｎｄ  Ｃａｔａｌｙｓｔｓ社によりＣｏｖｅｒｌｅａｆ  ＮＳまたはＪＳという商品名で販売されており、３０程度のコントラスト比を有する。
【０２３３】
有機レーキは、基材に装着された色素から形成された有機顔料である。
【０２３４】
それらは、たとえば、以下のものから選択しうる。
−  コチニールカルミン。
−  アゾ染料、アントラキノン染料、インジゴイド染料、キサンテン染料、ピレン染料、キノリン染料、トリフェニルメタン染料、またはフルオラン染料の有機顔料。とくに挙げられうる有機顔料は、次の名称で知られるものである：Ｄ＆Ｃ青色４号、Ｄ＆Ｃ褐色１号、Ｄ＆Ｃ緑色５号、Ｄ＆Ｃ緑色６号、Ｄ＆Ｃ橙色４号、Ｄ＆Ｃ橙色５号、Ｄ＆Ｃ橙色１０号、Ｄ＆Ｃ橙色１１号、Ｄ＆Ｃ赤色６号、Ｄ＆Ｃ赤色７号、Ｄ＆Ｃ赤色１７号、Ｄ＆Ｃ赤色２１号、Ｄ＆Ｃ赤色２２号、Ｄ＆Ｃ赤色２７号、Ｄ＆Ｃ赤色２８号、Ｄ＆Ｃ赤色３０号、Ｄ＆Ｃ赤色３１号、Ｄ＆Ｃ赤色３３号、Ｄ＆Ｃ赤色３４号、Ｄ＆Ｃ赤色３６号、Ｄ＆Ｃ菫色２号、Ｄ＆Ｃ黄色７号、Ｄ＆Ｃ黄色８号、Ｄ＆Ｃ黄色１０号、Ｄ＆Ｃ黄色１１号、ＦＤ＆Ｃ青色１号、ＦＤ＆Ｃ緑色３号、ＦＤ＆Ｃ赤色４０号、ＦＤ＆Ｃ黄色５号、ＦＤ＆Ｃ黄色６号。
−  不溶性ナトリウム、アゾ染料、アントラキノン染料、インジゴイド染料、キサンテン染料、ピレン染料、キノリン染料、トリフェニルメタン染料、フルオラン染料などの酸性染料のカリウム塩、カルシウム塩、バリウム塩、アルミニウム塩、ジルコニウム塩、ストロンチウム塩、またはチタン塩。これらの染料は、おそらく少なくとも１つのカルボン酸基またはスルホン酸基を含む。
【０２３５】
有機レーキはまた、たとえばロジンやアルミニウムベンゾエートなどの有機担体上にも担持しうる。
【０２３６】
とくに挙げられうる有機レーキは、次の名称で知られるものである：Ｄ＆Ｃ赤色２号アルミニウムレーキ、Ｄ＆Ｃ赤色３号アルミニウムレーキ、Ｄ＆Ｃ赤色４号アルミニウムレーキ、Ｄ＆Ｃ赤色６号アルミニウムレーキ、Ｄ＆Ｃ赤色６号バリウムレーキ、Ｄ＆Ｃ赤色６号バリウム／ストロンチウムレーキ、Ｄ＆Ｃ赤色６号ストロンチウムレーキ、Ｄ＆Ｃ赤色６号カリウムレーキ、Ｄ＆Ｃ赤色７号アルミニウムレーキ、Ｄ＆Ｃ赤色７号バリウムレーキ、Ｄ＆Ｃ赤色７号カルシウムレーキ、Ｄ＆Ｃ赤色７号カルシウム／ストロンチウムレーキ、Ｄ＆Ｃ赤色７号ジルコニウムレーキ、Ｄ＆Ｃ赤色８号ナトリウムレーキ、Ｄ＆Ｃ赤色９号アルミニウムレーキ、Ｄ＆Ｃ赤色９号バリウムレーキ、Ｄ＆Ｃ赤色９号バリウム／ストロンチウムレーキ、Ｄ＆Ｃ赤色９号ジルコニウムレーキ、Ｄ＆Ｃ赤色１０号ナトリウムレーキ、Ｄ＆Ｃ赤色１９号アルミニウムレーキ、Ｄ＆Ｃ赤色１９号バリウムレーキ、Ｄ＆Ｃ赤色１９号ジルコニウムレーキ、Ｄ＆Ｃ赤色２１号アルミニウムレーキ、Ｄ＆Ｃ赤色２１号ジルコニウムレーキ、Ｄ＆Ｃ赤色２２号アルミニウムレーキ、Ｄ＆Ｃ赤色２７号アルミニウムレーキ、Ｄ＆Ｃ赤色２７号アルミニウム／チタン／ジルコニウムレーキ、Ｄ＆Ｃ赤色２７号バリウムレーキ、Ｄ＆Ｃ赤色２７号カルシウムレーキ、Ｄ＆Ｃ赤色２７号ジルコニウムレーキ、Ｄ＆Ｃ赤色２８号アルミニウムレーキ、Ｄ＆Ｃ赤色３０号レーキ、Ｄ＆Ｃ赤色３１号カルシウムレーキ、Ｄ＆Ｃ赤色３３号アルミニウムレーキ、Ｄ＆Ｃ赤色３４号カルシウムレーキ、Ｄ＆Ｃ赤色３６号レーキ、Ｄ＆Ｃ赤色４０号アルミニウムレーキ、Ｄ＆Ｃ青色１号アルミニウムレーキ、Ｄ＆Ｃ緑色３号アルミニウムレーキ、Ｄ＆Ｃ橙色４号アルミニウムレーキ、Ｄ＆Ｃ橙色５号アルミニウムレーキ、Ｄ＆Ｃ橙色５号ジルコニウムレーキ、Ｄ＆Ｃ橙色１０号アルミニウムレーキ、Ｄ＆Ｃ橙色１７号バリウムレーキ、Ｄ＆Ｃ黄色５号アルミニウムレーキ、Ｄ＆Ｃ黄色５号ジルコニウムレーキ、Ｄ＆Ｃ黄色６号アルミニウムレーキ、Ｄ＆Ｃ黄色７号ジルコニウムレーキ、Ｄ＆Ｃ黄色１０号アルミニウムレーキ、ＦＤ＆Ｃ青色１号アルミニウムレーキ、ＦＤ＆Ｃ赤色４号アルミニウムレーキ、ＦＤ＆Ｃ赤色４０号アルミニウムレーキ、ＦＤ＆Ｃ黄色５号アルミニウムレーキ、ＦＤ＆Ｃ黄色６号アルミニウムレーキ。
【０２３７】
以上に挙げられた有機着色剤のそれぞれに対応する化学材料は、出版物“Ｉｎｔｅｒｎａｔｉｏｎａｌ  Ｃｏｓｍｅｔｉｃ  Ｉｎｇｒｅｄｉｅｎｔ  Ｄｉｃｔｉｏｎａｒｙ  ａｎｄ  Ｈａｎｄｂｏｏｋ”，１９９７  ｅｄｉｔｉｏｎ，ｐａｇｅｓ  ３７１  ｔｏ  ３８６  ａｎｄ  ５２４  ｔｏ  ５２８，ｐｕｂｌｉｓｈｅｄ  ｂｙ  Ｔｈｅ  Ｃｏｓｍｅｔｉｃ，Ｔｏｉｌｅｔｒｉｅｓ  ａｎｄ  Ｆｒａｇｒａｎｃｅ  Ａｓｓｏｃｉａｔｉｏｎ（その内容は参照により本特許出願に組み込まれる）に述べられている。
【０２３８】
顔料はまた、疎水処理に付してもよい。
【０２３９】
疎水処理剤は、シリコーン、たとえば、メチコン、ジメチコン、およびペルフルオロアルキルシラン、脂肪酸、たとえば、ステアリン酸、金属石鹸、たとえば、アルミニウムジミリステート、水素化獣脂グルタメートのアルミニウム塩、ペルフルオロアルキルホスフェート、ペルフルオロアルキルシラン、ペルフルオロアルキルシラザン、ポリヘキサフルオロプロピレンオキシド、ペルフルオロアルキルペルフルオロポリエーテル基を含むポリオルガノシロキサン、アミノ酸、Ｎ−アシルアミノ酸またはその塩、レシチン、イソプロピルトリイソステアリルチタネート、およびそれらの混合物から選択しうる。
【０２４０】
Ｎ−アシルアミノ酸は、８〜２２個の炭素原子を含有するアシル基、たとえば、２−エチルヘキサノイル基、カプロイル基、ラウロイル基、ミリストイル基、パルミトイル基、ステアロイル基、またはココイル基を含みうる。これらの化合物の塩は、アルミニウム塩、マグネシウム塩、カルシウム塩、ジルコニウム塩、亜鉛塩、ナトリウム塩、またはカリウム塩でありうる。アミノ酸は、たとえば、リシン、グルタミン酸、またはアラニンでありうる。
【０２４１】
以上で引用した化合物で述べた「アルキル」という用語は、とくに、１〜３０個の炭素原子を含有する、好ましくは５〜１６個の炭素原子を含有するアルキル基を意味する。
【０２４２】
疎水処理顔料は、とくに、欧州特許出願公開第Ａ−１０８６６８３号明細書に記載されている。
【０２４３】
着色剤はまた、たとえば、酸化鉄を含有するシリカマイクロスフェアなどのタイプでありうる構造を有する顔料も含みうる。この構造を有する顔料の例は、ＰＣ  Ｂａｌｌ  ＰＣ−ＬＬ−１００  Ｐという商品名でＭｉｙｏｓｈｉ社により販売されている物質であり、この顔料は、黄色酸化鉄を含有するシリカマイクロスフェアから構成される。
【０２４４】
本特許発明の目的では、真珠母は、より特定的には、虹色光彩であってもなくてもよい任意の形態の着色粒子であり、とくに、ある特定の軟体動物の外殻で産生されるかまたは代替的に合成され、光干渉を介して色効果を有する。
【０２４５】
挙げられうる真珠母の例としては、酸化鉄で被覆されたチタン雲母、オキシ塩化ビスマスで被覆された雲母、酸化クロムで被覆されたチタン雲母、とくに以上に挙げたタイプの有機染料で被覆されたチタン雲母などの真珠母顔料、さらにはオキシ塩化ビスマスに基づく真珠母顔料が含まれる。それらはまた、金属酸化物および／または有機着色剤の少なくとも２つの逐次層で表面が重畳された雲母粒子でありうる。
【０２４６】
真珠母は、より特定的には、黄色、桃色、赤色、青銅色、橙色、褐色、金色、および／または銅色の色彩または光沢を有しうる。
【０２４７】
第１の組成物に干渉顔料として導入しうる真珠母の例としては、Ｂｒｉｌｌｉａｎｔ  ｇｏｌｄ  ２１２Ｇ（Ｔｉｍｉｃａ）、Ｇｏｌｄ  ２２２Ｃ（Ｃｌｏｉｓｏｎｎｅ）、Ｓｐａｒｋｌｅ  ｇｏｌｄ（Ｔｉｍｉｃａ）、Ｇｏｌｄ  ４５０４（Ｃｈｒｏｍａｌｉｔｅ）、およびＭｏｎａｒｃｈ  ｇｏｌｄ  ２３３Ｘ（Ｃｌｏｉｓｏｎｎｅ）という商品名でＥｎｇｅｌｈａｒｄ社によりとくに販売されている金色着色真珠母、Ｂｒｏｎｚｅ  ｆｉｎｅ（１７３８４）（Ｃｏｌｏｒｏｎａ）およびＢｒｏｎｚｅ（１７３５３）（Ｃｏｌｏｒｏｎａ）という商品名でＭｅｒｃｋ社によりならびにＳｕｐｅｒ  ｂｒｏｎｚｅ（Ｃｌｏｉｓｏｎｎｅ）という商品名でＥｎｇｅｌｈａｒｄ社によりとくに販売されている青銅色真珠母、Ｏｒａｎｇｅ  ３６３Ｃ（Ｃｌｏｉｓｏｎｎｅ）およびＯｒａｎｇｅ  ＭＣＲ  １０１（Ｃｏｓｍｉｃａ）という商品名でＥｎｇｅｌｈａｒｄ社によりならびにＰａｓｓｉｏｎ  ｏｒａｎｇｅ（Ｃｏｌｏｒｏｎａ）およびＭａｔｔｅ  ｏｒａｎｇｅ（１７４４９）（Ｍｉｃｒｏｎａ）という商品名でＭｅｒｃｋ社によりとくに販売されている橙色真珠母、Ｎｕ−ａｎｔｉｑｕｅ  ｃｏｐｐｅｒ  ３４０ＸＢ（Ｃｌｏｉｓｏｎｎｅ）およびＢｒｏｗｎ  ＣＬ４５０９（Ｃｈｒｏｍａｌｉｔｅ）という商品名でＥｎｇｅｌｈａｒｄ社によりとくに販売されている褐色真珠母、Ｃｏｐｐｅｒ  ３４０Ａ（Ｔｉｍｉｃａ）という商品名でＥｎｇｅｌｈａｒｄ社によりとくに販売されている銅色光沢を有する真珠母、Ｓｉｅｎｎａ  ｆｉｎｅ（１７３８６）（Ｃｏｌｏｒｏｎａ）という商品名でＭｅｒｃｋ社によりとくに販売されている赤色光沢を有する真珠母、Ｙｅｌｌｏｗ（４５０２）（Ｃｈｒｏｍａｌｉｔｅ）という商品名でＥｎｇｅｌｈａｒｄ社によりとくに販売されている黄色光沢を有する真珠母、Ｓｕｎｓｔｏｎｅ  Ｇ０１２（Ｇｅｍｔｏｎｅ）という商品名でＥｎｇｅｌｈａｒｄ社によりとくに販売されている金色光沢を有する赤色真珠母、Ｔａｎ  ｏｐａｌｅ  Ｇ００５（Ｇｅｍｔｏｎｅ）という商品名でＥｎｇｅｌｈａｒｄ社によりとくに販売されている桃色真珠母、Ｎｕ  ａｎｔｉｑｕｅ  ｂｒｏｎｚｅ  ２４０  ＡＢ（Ｔｉｍｉｃａ）という商品名でＥｎｇｅｌｈａｒｄ社によりとくに販売されている金色光沢を有する黒色真珠母、Ｍａｔｔｅ  ｂｌｕｅ（１７４３３）（Ｍｉｃｒｏｎａ）という商品名でＭｅｒｃｋ社によりとくに販売されている青色真珠母、Ｘｉｒｏｎａ  Ｓｉｌｖｅｒという商品名でＭｅｒｃｋ社によりとくに販売されている銀色光沢を有する白色真珠母、およびＩｎｄｉａｎ  ｓｕｍｍｅｒ（Ｘｉｒｏｎａ）という商品名でＭｅｒｃｋ社によりとくに販売されている金色−緑桃色−橙色真珠母、ならびにそれらの混合物が挙げられうる。
【０２４８】
組成物はまた、特定の光学効果を有する少なくとも１種の材料を着色粒子として含有しうる。
【０２４９】
この効果は、単純な従来の色相効果、すなわち、標準的着色粒子たとえば単色顔料により生成される統合安定化効果とは異なる。本発明の趣旨の範囲内では、「安定化」という用語は、観測角による色変動効果または代替的に温度変化による色変動効果が回避されることを意味する。
【０２５０】
たとえば、この材料は、金属光沢を有する粒子、ゴニオクロマティック着色剤、回折顔料、サーモクロミック剤、光学増白剤、さらには繊維とくに干渉繊維から選択しうる。言うまでもないが、これらの種々の材料は、２つの効果さらには新規な効果の同時出現を与えるように組み合わせうる。
【０２５１】
有利には、真珠母単独でのまたは混合物としての顔料とくに着色粒子の含有率は、組成物の重量を基準にして０．００１重量％〜１０重量％、好ましくは０．０１重量％〜８重量％の範囲内である。
【０２５２】
充填剤
充填剤は、より特定的には、有機、鉱物、または混合であり、単独でまたは混合物として存在しうる。
【０２５３】
「充填剤」という用語は、組成物の媒体に不溶な分散形態をとるかつ組成物を着色することが意図されることはなくせいぜい不透明化が意図される程度である、任意の形態の無色または白色の固体粒子を意味するものと理解すべきである。
【０２５４】
充填剤は、たとえば。プレートレット状、球状、長形状、もしくは繊維状、または結晶学的形態（たとえば、シート、立方晶、六方晶、斜方晶など）にとらわれずにこれらの形態間の任意の他の中間形態でありうる。好ましくは、使用される充填剤はプレートレット状である。
【０２５５】
充填剤は、先に述べた鉱物増粘剤とは異なることに留意すべきである。
【０２５６】
使用可能な充填剤は、表面被覆されてもされなくてもよく、とくに、シリコーン、アミノ酸、フルオロ誘導体、または組成物中への充填材の分散およびそれとの適合性を向上させる任意の他の物質で表面処理することが可能である。
【０２５７】
挙げられうる鉱物充填剤の例としては、タルク、雲母、パーライト、カオリン、中空シリカマイクロスフェア、沈降炭酸カルシウム、炭酸マグネシウム、炭酸水素マグネシウム、ヒドロキシアパタイト、窒化ホウ素、ガラスもしくはセラミックマイクロカプセル、またはシリカと二酸化チタンとの複合材、たとえば、日本板硝子株式会社により販売されているＴＳＧシリーズが含まれる。
【０２５８】
挙げられうる有機充填剤の例としては、ポリアミド粉末（Ａｔｏｃｈｅｍ製のＮｙｌｏｎ（登録商標）Ｏｒｇａｓｏｌ）、ポリエチレン粉末、ポリメチルメタクリレート粉末、ポリテトラフルオロエチレン（テフロン）粉末、アクリル酸コポリマー粉末（Ｄｏｗ  Ｃｏｒｎｉｎｇ製のＰｏｌｙｔｒａｐ）、ラウロイルリシン、中空ポリマーマイクロスフェア、たとえば、ポリビニリデンクロリド／アクリロニトリル、たとえば、Ｅｘｐａｎｃｅｌ（Ｎｏｂｅｌ  Ｉｎｄｕｓｔｒｉｅ）、ヘキサメチレンジイソシアネート／トリメチロールヘキシルラクトンコポリマー粉末（Ｔｏｓｈｉｋｉ製のプラスチック粉末）で作製したもの、シリコーン樹脂マイクロビーズ（たとえば、株式会社東芝製のトスパール）、合成または天然のマイクロナイズドワックス、８〜２２個の炭素原子、好ましくは１２〜１８個の炭素原子を含有する有機カルボン酸から得られる金属石鹸、たとえば、ステアリン酸亜鉛、ステアリン酸マグネシウム、ステアリン酸リチウム、ラウリン酸亜鉛、ミリスチン酸マグネシウム、Ｐｏｌｙｐｏｒｅ（登録商標）Ｌ  ２００（Ｃｈｅｍｄａｌ  Ｃｏｒｐｏｒａｔｉｏｎ）、ポリウレタン粉末、とくに、コポリマーを含む架橋ポリウレタンの粉末（前記コポリマーはトリメチロールヘキシルラクトンを含む）が含まれる。それは、とくに、ヘキサメチレンジイソシアネート／トリメチロールヘキシルラクトンポリマーでありうる。かかる粒子は、たとえば、Ｔｏｓｈｉｋｉ社からＰｌａｓｔｉｃ  Ｐｏｗｄｅｒ  Ｄ−４００（登録商標）またはＰｌａｓｔｉｃ  Ｐｏｗｄｅｒ  Ｄ−８００（登録商標）という商品名でとくに市販されており、それらの混合物が利用可能である。
【０２５９】
有機充填剤としては、たとえば、米国特許第５５３８７９３号明細書に記載されるように、シリコーン樹脂とくにシルセスキオキサン樹脂で被覆された架橋オルガノポリシロキサンの粉末も挙げられうる。
【０２６０】
かかるエラストマー粉末は、信越化学工業株式会社によりＫＳＰ−１００（登録商標）、ＫＳＰ−１０１（登録商標）、ＫＳＰ−１０２（登録商標）、ＫＳＰ−１０３（登録商標）、ＫＳＰ−１０４（登録商標）、およびＫＳＰ−１０５（登録商標）という商品名で販売されており、また、シリコーン樹脂で被覆された架橋オルガノポリシロキサンエラストマー粉末、たとえば、信越化学工業株式会社によりＫＳＰ−２００という商品名で販売されている、フルオロアルキル基で官能基化されたハイブリッドシリコーンの粉末、または信越化学工業株式会社によりＫＳＰ−３００という商品名で販売されている、フェニル基で官能基化されたハイブリッドシリコーン粉末も挙げられうる。
【０２６１】
好ましくは、鉱物充填剤（有利にはプレートレット状）、さらにより好ましくは雲母が使用される。
【０２６２】
特定の一実施形態によれば、充填剤の含有率は、組成物の重量を基準にして０．００１重量％〜５重量％、好ましくは０．０５重量％〜３重量％の範囲内である。
【０２６３】
水
組成物は任意選択的に水を含みうる。
【０２６４】
水を含有する場合、含水率は、組成物の重量を基準にして１重量％を超えない、より特定的には０．５重量％を超えない、好ましくは０．４重量％を超えない。
【０２６５】
揮発性オイル
組成物はまた、好ましくは、揮発性炭化水素系オイル（好ましくは非極性）および揮発性シリコーンオイルから選択される少なくとも１種の揮発性オイルを含みうる。
【０２６６】
揮発性シリコーンオイルは、４０℃〜１０２℃、好ましくは５５℃超かつ９５℃以下、さらにより特定的には６５℃〜９５℃の範囲内の引火点を有するシリコーンオイルから選択しうる。
【０２６７】
使用可能な揮発性シリコーンオイルとしては、とりわけ２〜１０個のケイ素原子、とくに２〜７個のケイ素原子を含有する線状または環状のシリコーンが挙げられうる。これらのシリコーンは、１〜１０個の炭素原子を含有するアルキル基またはアルコキシ基を任意選択的に含む。揮発性シリコーンオイルとしては、５および６ｃＳｔの粘度を有するジメチコン、オクタメチルシクロテトラシロキサン、デカメチルシクロペンタシロキサン、ドデカメチルシクロヘキサシロキサン、ヘプタメチルヘキシルトリシロキサン、ヘプタメチルオクチルトリシロキサン、ヘキサメチルジシロキサン、オクタメチルトリシロキサン、デカメチルテトラシロキサン、およびドデカメチルペンタシロキサン、ならびにそれらの混合物が挙げられうる。
【０２６８】
揮発性炭化水素系オイル（好ましくは非極性）は、４０℃〜１０２℃、好ましくは４０℃〜５５℃、さらにより特定的には４０℃〜５０℃の範囲内の引火点のオイルから選択される。
【０２６９】
使用可能な揮発性炭化水素系オイルのうち、８〜１６個の炭素原子を含有する炭化水素およびそれらの混合物、とくに、
−  分岐状Ｃ８〜Ｃ１６アルカン、たとえば、Ｃ８〜Ｃ１６イソアルカン（イソパラフィンとしても知られる）、イソドデカン、イソデカン、およびイソヘキサデカン、たとえば、ＩｓｏｐａｒまたはＰｅｒｍｅｔｈｙｌという商品名で販売されているオイル、
−  線状アルカン、たとえば、それぞれのＰａｒａｆｏｌ  １２−９７およびＰａｒａｆｏｌ  １４−９７という商品名でＳａｓｏｌにより販売されているｎ−ドデカン（Ｃ１２）およびｎ−テトラデカン（Ｃ１４）さらにはそれらの混合物、ウンデカン−トリデカン混合物（Ｃｅｔｉｏｌ  ＵＴ）、Ｃｏｇｎｉｓ社の国際公開第２００８／１５５０５９号パンフレットの実施例１および２で得られるｎ−ウンデカン（Ｃ１１）とｎ−トリデカン（Ｃ１３）との混合物、ならびにそれらの混合物
がとくに挙げられうる。
【０２７０】
有利な一実施形態によれば、組成物は、少なくとも１種の揮発性炭化水素系オイル（より特定的には非極性）、少なくとも１種の揮発性シリコーンオイル、好ましくはこれらの２つのタイプの揮発性オイルの混合物を含む。
【０２７１】
より特定的には、揮発性炭化水素系オイル、揮発性シリコーンオイル、またはそれらの混合物の含有率は、組成物の重量を基準にして１０重量％以下、より特定的には８重量％以下、有利には１重量％〜８重量％である。
【０２７２】
組成物が不揮発性オイルと揮発性オイルとの混合物を含む場合、前記混合物は単一相である。より特定的には、ある温度でホモジナイズおよびＲａｙｎｅｒｉミキサーで混合（５５０ｒｐｍ、１０分間）を行い、周囲温度（および大気圧）で２４時間にわたり密閉容器内に放置して貯蔵した後、周囲温度（２５℃）にて肉眼でまたは位相差顕微鏡下で相分離が観測されない場合、混合物は単一相であると言われる。
【０２７３】
シリコーンポリマー
組成物は、
（ｉ）ＭＱタイプのシリコーン樹脂、
（ｉｉ）シルセスキオキサン樹脂、
（ｉｉｉ）カルボシロキサンデンドリマーでグラフトされたビニルポリマー、
（ｉｖ）それらの混合物、
から選択される少なくとも１種のシリコーンポリマーを任意選択的に含みうる。
【０２７４】
「ポリマー」という用語は、ここでは、１つ以上の繰返し単位、好ましくは少なくとも２つの繰返し単位を有する化合物を意味するものと理解される。
【０２７５】
ＭＱタイプのシリコーン樹脂
より一般的には、「樹脂」という用語は、三次元の構造の化合物を意味するものと理解される。
【０２７６】
「シリコーン樹脂」はまた、「シロキサン樹脂」としても知られる。したがって、本発明の趣旨の範囲内では、ポリジメチルシロキサンはシリコーン樹脂ではない。
【０２７７】
シリコーン樹脂の命名は、「ＭＤＴＱ」という名称で知られ、樹脂は、含まれる各種シロキサンモノマー単位の関数として記述され、文字「ＭＤＴＱ」のそれぞれは、単位のタイプを特徴付ける。
【０２７８】
文字「Ｍ」は、式Ｒ１Ｒ２Ｒ３ＳｉＯ１／２の単官能性単位を表し、ケイ素原子は、この単位を含むポリマーではただ１つの酸素原子に接続される。
【０２７９】
文字「Ｄ」は、二官能性単位Ｒ１Ｒ２ＳｉＯ２／２を意味し、ケイ素原子は２つの酸素原子に接続される。
【０２８０】
文字「Ｔ」は、式Ｒ１ＳｉＯ３／２の三官能性単位を表す。
【０２８１】
最後に、文字「Ｑ」は、四官能性単位ＳｉＯ４／２を意味し、ケイ素原子は４つの酸素原子に結合され、これらの酸素原子自体は、ポリマーの残りの部分に結合される。
【０２８２】
以上に定義されるＭ、Ｄ、およびＴ単位では、Ｒ１、Ｒ２、およびＲ３は、１〜１０個の炭素原子を有する炭化水素基（とくにアルキル基）、フェニル基、フェニルアルキル基、さもなければヒドロキシル基を表す。
【０２８３】
かかる樹脂は、たとえば、Ｅｎｃｙｃｌｏｐｅｄｉａ  ｏｆ  Ｐｏｌｙｍｅｒ  Ｓｃｉｅｎｃｅ  ａｎｄ  Ｅｎｇｉｎｎｅｒｉｎｇ，ｖｏｌ．１５，Ｊｏｈｎ  Ｗｉｌｅｙ  ａｎｄ  Ｓｏｎｓ，Ｎｅｗ  Ｙｏｒｋ，（１９８９），ｐｐ．２６５−２７０、ならびに米国特許第２６７６１８２号明細書、米国特許第３６２７８５１号明細書、米国特許第３７７２２４７号明細書、米国特許第５２４８７３９号明細書、さもなければ米国特許第５０８２７０６号明細書、米国特許第５３１９０４０号明細書、米国特許第５３０２６８５号明細書、および米国特許第４９３５４８４号明細書に記載されている。
【０２８４】
使用可能なＭＱタイプのシリコーン樹脂の例としては、式［（Ｒ１）３ＳｉＯ１／２］ｘ（ＳｉＯ４／２）ｙ（ＭＱ単位）のアルキルシロキシシリケートが挙げられうる。ただし、式中、ｘおよびｙは、５０〜８０の範囲内の整数であり、Ｒ１基は、以上に定義された基を表し、好ましくは１〜８個の炭素原子を有するアルキル基またはヒドロキシル基、好ましくはメチル基である。
【０２８５】
トリメチルシロキシシリケートタイプのＭＱタイプの固体シリコーン樹脂の例としては、Ｇｅｎｅｒａｌ  ＥｌｅｃｔｒｉｃによりＳＲ１０００という商品名で、ＷａｃｋｅｒによりＴＭＳ  ８０３という商品名で、信越化学工業株式会社によりＫＦ−７３１２ＪまたはＤｏｗ  ＣｏｒｎｉｎｇによりＤＣ７４９もしくはＤＣ５９３という商品名で販売されているものが挙げられうる。
【０２８６】
また、ＭＱシロキシシリケート単位を含むシリコーン樹脂としては、フェニルプロピルジメチルシロキシシリケート（Ｇｅｎｅｒａｌ  Ｅｌｅｃｔｒｉｃにより販売されているＳｉｌｓｈｉｎｅ  １５１）などのフェニルアルキルシロキシシリケート樹脂も挙げられうる。かかる樹脂の調製は、とくに米国特許第５８１７３０２号明細書に記載されている。
【０２８７】
シルセスキオキサン樹脂
本発明に係る組成物で使用可能なシルセスキオキサン樹脂としては、式Ｒ１ｎＳｉＯ（４−ｎ）／２の平均シロキサン単位を含有するシルセスキオキサンのホモポリマーおよび／またはコポリマーであるアルキルシルセスキオキサン樹脂が挙げられうる。ただし、式中、各Ｒ１は、独立して、水素原子またはＣ１〜Ｃ１０アルキル基を表し、Ｒ１基の８０ｍｏｌ％超は、Ｃ３〜Ｃ１０アルキル基を表し、かつｎは、１．０〜１．４の数を表す。また、より特定的には、６０ｍｏｌ％超が単位Ｒ１ＳｉＯ３／２を含むシルセスキオキサンコポリマーが使用されよう。ただし、式中、Ｒ１は前述した定義を有する。
【０２８８】
好ましくは、シルセスキオキサン樹脂は、Ｒ１がＣ１〜Ｃ１０アルキル基、好ましくはＣ１〜Ｃ４アルキル基、より特定的にはプロピル基であるように選択される。より特定的には、ポリプロピルシルセスキオキサン樹脂またはｔ−プロピルシルセスキオキサン樹脂（ＩＮＣＩ名：ポリプロピルシルセスキオキサン（および）イソドデカン）、たとえば、Ｄｏｗ  Ｃｏｒｎｉｎｇ社によりＤｏｗ  Ｃｏｒｎｉｎｇ（登録商標）６７０  Ｆｌｕｉｄという商品名で販売された物質が使用されよう。
【０２８９】
カルボシロキサンデンドリマーでグラフトされたビニルポリマー
好適なシリコーンポリマーとしては、カルボシロキサンデンドリマーから得られる少なくとも１つの単位を含むビニルポリマーが挙げられうる。
【０２９０】
ビニルポリマーは、骨格と少なくとも１つの側鎖とを有し、側鎖は、カルボシロキサンデンドリマー構造を呈するカルボシロキサンデンドリマーから得られる単位を含む。
【０２９１】
本発明との関連では、「カルボシロキサンデンドリマー構造」という用語は、高分子量の分岐状基を有する分子構造を表し、前記構造は、骨格への結合から出発して半径方向に高い規則性を有する。かかるカルボシロキサンデンドリマー構造は、特願平９−１７１１５４号公報に高分岐状シロキサン−シリルアルキレンコポリマーの形態で記載されている。
【０２９２】
本発明に係るビニルポリマーは、以下の一般式（Ｉ）：
【化１０】
2018531675.tif 000012
で表しうるカルボシロキサンデンドリマーから得られる単位を含有しうる。
式中
−  Ｒ１は、５〜１０個の炭素原子を有するアリール基または１〜１０個の炭素原子を有するアルキル基を表し、
−  Ｘｉは、シリルアルキル基を表し、ｉ＝１のとき、式（ＩＩ）：
【化１１】
2018531675.tif 000013
により表され、
．  Ｒ１は、以上の式（Ｉ）で定義した通りであり、
．  Ｒ２は、２〜１０個の炭素原子を有するアルキレン基を表し、
．  Ｒ３は、１〜１０個の炭素原子を有するアルキル基を表し、
．  Ｘｉ＋ｉは、水素原子、１〜１０個の炭素原子を有するアルキル基、５〜１０個の炭素原子を有するアリール基、およびｉ＝ｉ＋１のときの以上の式（ＩＩ）で定義されるシリルアルキル基から選択され、
．  ｉは、前記シリルアルキル基の世代を表す１〜１０の整数であり、かつ
．  ａｉは、０〜３の整数であり、
−  Ｙは、以下から選択されるラジカル重合性有機基を表す。
．  メタクリル基またはアクリル基を含む有機基。前記有機基は式：
【化１２】
2018531675.tif 000014
で表され、
＊  Ｒ４は、水素原子または１〜１０個の炭素原子を含有するアルキル基を表し、かつ
＊  Ｒ５は、１〜１０個の炭素原子を含有するアルキレン基、たとえば、メチレン基、エチレン基、プロピレン基、またはブチレン基を表し、メチレン基およびプロピレン基が好ましい。
．  式：
【化１３】
2018531675.tif 000015
のスチリル基を含む有機基。
＊  Ｒ６は、水素原子または１〜１０個の炭素原子を含有するアルキル基、たとえば、メチル基、エチル基、プロピル基、またはブチル基を表し、メチル基が好ましく、
＊  Ｒ７は、１〜１０個の炭素原子を含有するアルキル基を表し、
＊  Ｒ８は、１〜１０個の炭素原子を含有するアルキレン基、たとえば、メチレン基、エチレン基、プロピレン基、またはブチレン基を表し、エチレン基が好ましく、
＊  ｂは、０〜４の整数であり、かつ
＊  ｃは、０または１であるが、ただし、ｃが０のとき、−（Ｒ８）ｃ−は結合を表す。
【０２９３】
一実施形態によれば、Ｒ１は、５〜１０個の炭素原子を有するアリール基または１〜１０個の炭素原子を有するアルキル基を表しうる。アルキル基は、好ましくは、メチル基、エチル基、プロピル基、ブチル基、ペンチル基、イソプロピル基、イソブチル基、シクロペンチル基、またはシクロヘキシル基で表しうる。アリール基は、好ましくは、フェニル基およびナフチル基で表しうる。メチル基およびフェニル基はさらにとくに好ましく、メチル基は最も好ましい。
【０２９４】
一実施形態によれば、Ｒ２は、２〜１０個の炭素原子を有するアルキレン基、とくに線状アルキレン基、たとえば、エチレン基、プロピレン基、ブチレン基、またはヘキシレン基、または分岐状アルキレン基、たとえば、メチルメチレン基、メチルエチレン基、１−メチルペンチレン基、または１，４−ジメチルブチレン基を表す。
【０２９５】
エチレン基、メチルエチレン基、ヘキシレン基、１−メチルペンチレン基、および１，４−ジメチルブチレン基が最も好ましい。
【０２９６】
一実施形態によれば、Ｒ３は、メチル基、エチル基、プロピル基、ブチル基、およびイソプロピル基から選択される。
【０２９７】
式（ＩＩ）では、ｉは世代数を表すので、シリルアルキル基の繰返し数に対応する。
【０２９８】
たとえば、世代数が１に等しい場合、カルボシロキサンデンドリマーは、以下に示される一般式で表しうる。式中、Ｙ、Ｒ１、Ｒ２、およびＲ３は、以上に定義した通りであり、Ｒ１２は、水素原子を表すかまたはＲ１と同一であり、かつａ１はａｉと同一である。好ましくは、分子中のＯＲ３基の全平均数は０〜７の範囲内である。
【化１４】
2018531675.tif 000016
【０２９９】
世代数が２に等しい場合、カルボシロキサンデンドリマーは、以下の一般式で表しうる。式中、Ｙ、Ｒ１、Ｒ２、Ｒ３、およびＲ１２は、以上に定義した通りであり、かつａ１およびａ２は、指定世代のａｉを表す。好ましくは、分子中のＯＲ３基の全平均数は０〜２５の範囲内である。
【化１５】
2018531675.tif 000017
【０３００】
世代数が３に等しい場合、カルボシロキサンデンドリマーは、以下の一般式で表される。式中、Ｙ、Ｒ１、Ｒ２、Ｒ３、およびＲ１２は、以上に定義した通りであり、かつａ２およびａ３は、指定世代のａｉを表す。好ましくは、分子中のＯＲ３基の全平均数は０〜７９の範囲内である。
【化１６】
2018531675.tif 000018
【０３０１】
カルボシロキサンデンドリマーから得られる少なくとも１つの単位を有するビニルポリマーは、カルボシロキサンデンドリマー構造を含有する分子側鎖を有し、
（Ａ）０〜９９．９重量部のビニルモノマーと、
（Ｂ）以上に定義された一般式（Ｉ）で表されるラジカル重合性有機基を含む１００〜０．１重量部のカルボシロキサンデンドリマーと、
の重合から生成可能である。
【０３０２】
カルボシロキサンデンドリマーから得られる少なくとも１つの単位を有するビニルポリマーの成分（Ａ）であるビニルタイプのモノマーは、ラジカル重合性ビニル基を含むビニルタイプのモノマーである。
【０３０３】
かかるモノマーに関してはとくに限定はない。
【０３０４】
次に示されるのはビニルタイプのモノマーの例である。メチルメタクリレート、エチルメタクリレート、ｎ−プロピルメタクリレート、イソプロピルメタクリレート、または低級アルキルアナログのメタクリレート、グリシジルメタクリレート、ブチルメタクリレート、ブチルアクリレート、ｎ−ブチルメタクリレート、イソブチルメタクリレート、ｔｅｒｔ−ブチルアクリレート、ｔｅｒｔ−ブチルメタクリレート、ｎ−ヘキシルメタクリレート、シクロヘキシルメタクリレート、２−エチルヘキシルアクリレート、２−エチルヘキシルメタクリレート、オクチルメタクリレート、ラウリルメタクリレート、ステアリルアクリレート、ステアリルメタクリレート、またはより高級メタクリレートアナログ、ビニルアセテート、ビニルプロピオネート、または低級脂肪酸アナログのビニルエステル、ビニルカプロエート、ビニル２−エチルヘキソエート、ビニルラウレート、ビニルステアレート、または高級脂肪酸エステルアナログ、スチレン、ビニルトルエン、ベンジルメタクリレート、フェノキシエチルメタクリレート、ビニルピロリドン、または類似のビニル芳香族モノマー、のメタクリルアミド、Ｎ−メチロールメタクリルアミド、Ｎ−メトキシメチルメタクリルアミド、イソブトキシメトキシメタクリルアミド、Ｎ，Ｎ−ジメチルメタクリルアミド、またはアミド基を含有するビニルタイプの類似のモノマー、ヒドロキシエチルメタクリレート、ヒドロキシプロピルアルコールメタクリレート、またはヒドロキシル基を含有するビニルタイプの類似のモノマー、アクリル酸、メタクリル酸、イタコン酸、クロトン酸、フマル酸、マレイン酸、または類似のモノマーは、カルボン酸基を含有するビニルタイプの類似のモノマー、テトラヒドロフルフリルメタクリレート、ブトキシエチルメタクリレート、エトキシジエチレングリコールメタクリレート、ポリエチレングリコールメタクリレート、ポリプロピレングリコールモノメタクリレート、ヒドロキシブチルビニルエーテル、セチルビニルエーテル、２−エチルヘキシルビニルエーテル、またはエーテル結合を有するビニルタイプの類似のモノマー、メタクリロキシプロピルトリメトキシシラン、分子末端の１つにメタクリル基を含有するポリジメチルシロキサン、分子末端の１つにスチリル基を含有するポリジメチルシロキサン、または不飽和基を含有する類似のシリコーン化合物、ブタジエン、ビニルクロリド、ビニリデンクロリド、メタクリロニトリル、ジブチルフマレート、無水マレイン酸、無水コハク酸、メタクリルグリシジルエーテル、メタクリル酸、イタコン酸、クロトン酸、マレイン酸、またはフマル酸のアミン有機塩、アンモニウム塩、およびアルカリ金属塩、スチレンスルホン酸基などのスルホン酸基を含有するラジカル重合性不飽和モノマー、メタクリル酸から得られる第４級アンモニウム塩、たとえば、２−ヒドロキシ−３−メタクリロキシプロピルトリメチルアンモニウムクロリド、および第３級アミン基を含有するアルコールのメタクリル酸エステル、たとえば、ジエチルアミンのメタクリル酸エステル。
【０３０５】
ビニルタイプの多官能性モノマーも使用可能である。
【０３０６】
次にかかる化合物の例を表す。トリメチロールプロパントリアクリレート、ペンタエリトリチルトリメタクリレート、エチレングリコールジメタクリレート、テトラエチレングリコールジメタクリレート、ポリエチレングリコールジメタクリレート、１，４−ブタンジオールジメタクリレート、１，６−ヘキサンジオールジメタクリレート、ネオペンチルグリコールジメタクリレート、エトキシル化トリメチロールプロパントリアクリレート、トリス（２−ヒドロキシエチル）イソシアヌレートジメタクリレート、トリス（２−ヒドロキシエチル）イソシアヌレートトリメタクリレート、ジビニルベンゼン基を有するスチリル基で両末端がキャップされたポリジメチルシロキサン、または不飽和基を含有する類似のシリコーン化合物。
【０３０７】
成分（Ｂ）のカルボシロキサンデンドリマーは、以上に定義された式（Ｉ）により表しうる。
【０３０８】
次に式（Ｉ）：のＹ基の好ましい例を示す。アクリロイルオキシメチル基、３−アクリロイルオキシプロピル基、メタクリロイルオキシメチル基、３−メタクリロイルオキシプロピル基、４−ビニルフェニル基、３−ビニルフェニル基、４−（２−プロペニル）フェニル基、３−（２−プロペニル）フェニル基、２−（４−ビニルフェニル）エチル基、２−（３−ビニルフェニル）エチル基、ビニル基、アリル基、メタリル基、および５−ヘキセニル基。
【０３０９】
本発明に係るカルボシロキサンデンドリマーは、以下の平均構造を有する式で表しうる。
【化１７Ａ】
2018531675.tif 000019
【化１７Ｂ】
2018531675.tif 000020
【化１７Ｃ】
2018531675.tif 000021
【０３１０】
したがって、一実施形態によれば、本発明に係る組成物のカルボシロキサンデンドリマーは、次式：
【化１８】
2018531675.tif 000022
により表される。
式中、
．  Ｙ、Ｒ１、Ｒ２、およびＲ３は、以上の式（Ｉ）および（ＩＩ）で定義した通りであり、
．  ａ１、ａ２、およびａ３は、式（ＩＩ）によるａｉの定義に対応し、かつ
．  Ｒ１２は、Ｈ、５〜１０個の炭素原子を有するアリール基、または１〜１０個の炭素原子を有するアルキル基である。
【０３１１】
一実施形態によれば、本発明に係る組成物のカルボシロキサンデンドリマーは、次式：
【化１９】
2018531675.tif 000023
の１つで表される。
【０３１２】
使用可能なカルボシロキサンデンドリマーを含むビニルポリマーは、特願平９−１７１１５４号公報に記載の分岐状シルアルキレンシロキサンを製造するプロセスに従って製造しうる。
【０３１３】
ビニルポリマーは、その分子側鎖中にカルボシロキサンデンドリマー構造を有するビニルタイプのポリマーをシリコーンオイル、有機オイル、アルコール、水などの液体中に分散したものでありうる。
【０３１４】
シリコーンオイルは、トリメチルシロキシ基でキャップされた２つの分子末端を有するジメチルポリシロキサン、メチルフェニルシロキサンと、トリメチルシロキシ基でキャップされた２つの分子末端を有するジメチルシロキサンと、のコポリマー、メチル−３，３，３−トリフルオロプロピルシロキサンと、トリメチルシロキシ基でキャップされた２つの分子末端を有するジメチルシロキサンと、のコポリマー、または類似の非反応線状シリコーンオイル、さらにはヘキサメチルシクロトリシロキサン、オクタメチルシクロテトラシロキサン、デカメチルシクロペンタシロキサン、ドデカメチルシクロヘキサシロキサン、または類似の環式化合物でありうる。非反応シリコーンオイルのほかに、末端上または分子側鎖内にシラノール基、アミノ基、ポリエーテル基などの官能基を含有する変性ポリシロキサンを使用しうる。
【０３１５】
有機オイルは、イソドデカン、流動パラフィン、イソパラフィン、ヘキシルラウレート、イソプロピルミリステート、ミリスチルミリステート、セチルミリステート、２−オクチルドデシルミリステート、イソプロピルパルミテート、２−エチルヘキシルパルミテート、ブチルステアレート、デシルオレエート、２−オクチルドデシルオレエート、ミリスチルラクテート、セチルラクテート、羊毛脂アセテート、ステアリルアルコール、セテアリルアルコール、オレイルアルコール、アボカドオイル、アーモンドオイル、オリーブオイル、ココアオイル、ホホバオイル、ガムオイル、ヒマワリオイル、ダイズオイル、カメリアオイル、スクアラン、カスターオイル、メンジツオイル、ココヤシオイル、卵黄オイル、ポリプロピレングリコールモノオレエート、ネオペンチルグリコール２−エチルヘキサノエート、または類似のグリコールエステルオイル、トリグリセリルイソステアレート、ココヤシオイルの脂肪酸のトリグリセリド、または多価アルコールエステルの類似のオイル、ポリオキシエチレンラウリルエーテル、ポリオキシプロピレンセチルエーテル、または類似のポリオキシアルキレンエーテルでありうる。
【０３１６】
アルコールは、化粧料出発材料と組み合わせて使用するのに好適な任意のタイプでありうる。たとえば、メタノール、エタノール、ブタノール、イソプロパノール、または類似の低級アルコールでありうる。
【０３１７】
溶液および分散液は、カルボシロキサンデンドリマーから得られる少なくとも１つの単位を有するビニルポリマーと、シリコーンオイル、有機オイル、アルコール、または水と、を混合することにより容易に調製可能である。液体は重合段階で存在可能である。この場合、未反応残留ビニルモノマーは、大気圧下または減圧下で溶液または分散液を熱処理することにより完全に除去すべきである。
【０３１８】
散液の場合、ビニルタイプのポリマーの分散性は界面活性剤を添加することにより改善可能である。
【０３１９】
かかる作用剤は、ヘキシルベンゼンスルホン酸、オクチルベンゼンスルホン酸、デシルベンゼンスルホン酸、ドデシルベンゼンスルホン酸、セチルベンゼンスルホン酸、ミリスチルベンゼンスルホン酸、またはこれらの酸のナトリウム塩の陰イオン性界面活性剤、オクチルトリメチルアンモニウム水酸化物、ドデシルトリメチルアンモニウム水酸化物、ヘキサデシルトリメチルアンモニウム水酸化物、オクチルジメチルベンジルアンモニウム水酸化物、デシルジメチルベンジルアンモニウム水酸化物、ジオクタデシルジメチルアンモニウム水酸化物、牛脂トリメチルアンモニウム水酸化物、ココヤシ油トリメチルアンモニウム水酸化物、または類似の陽イオン性界面活性剤、ポリオキシアルキレンアルキルエーテル、ポリオキシアルキレンアルキルフェノール、ポリオキシアルキレンアルキルエステル、ポリオキシアルキレンのソルビトールエステル、ポリエチレングリコール、ポリプロピレングリコール、ジエチレングリコールトリメチルノナノールのエチレンオキシド付加物、およびポリエステルタイプの非イオン性界面活性剤、さらには混合物でありうる。
【０３２０】
分散液では、ビニルタイプのポリマーの平均粒子直径は、０．００１〜１００ミクロン、好ましくは０．０１〜５０ミクロンの範囲内でありうる。
【０３２１】
分散液または溶液に含まれるビニルポリマーは、０．１重量％〜９５重量％、好ましくは５重量％〜８５重量％の範囲内の濃度を有しうる。しかしながら、混合物の取扱いおよび調製を容易にするために、範囲は好ましくは１０重量％〜７５重量％にすべきである。
【０３２２】
本発明に好適なビニルポリマーはまた、欧州特許第０９６３７５１号明細書の実施例に記載のポリマーの１つでありうる。
【０３２３】
好ましい実施形態によれば、カルボシロキサンデンドリマーでグラフトされたビニルポリマーは、
０〜９９．９重量部の１つ以上のアクリレートまたはメタクリレートモノマーと、
１００〜０．１重量部のトリス［トリ（トリメチルシロキシ）シリルエチルジメチルシロキシ］シリルプロピルカルボシロキサンデンドリマーのアクリレートまたはメタクリレートモノマーと、
の重合から生成可能である。
【０３２４】
モノマー（Ａ１）および（Ｂ１）は、それぞれ、特定のモノマー（Ａ）および（Ｂ）に対応する。
【０３２５】
一実施形態によれば、カルボシロキサンデンドリマーから得られる少なくとも１つの単位を有するビニルポリマーは、次式：
【化２０】
2018531675.tif 000024
の一方に対応するトリス［トリ（トリメチルシロキシ）シリルエチルジメチルシロキシ］シリルプロピルカルボシロキサンデンドリマーから得られる単位を含みうる。
【０３２６】
好ましい形態によれば、本発明で使用されるカルボシロキサンデンドリマーから得られる少なくとも１つの単位を有するビニルポリマーは、少なくとも１種のブチルアクリレートモノマーを含む。
【０３２７】
一実施形態によれば、ビニルポリマーは、少なくとも１つのフッ素化有機基を追加的に含みうる。
【０３２８】
重合ビニル単位が骨格を構成するかつカルボシロキサンデンドリティック構造さらにはフッ素化有機基が側鎖に装着される構造がとりわけ好ましい。
【０３２９】
フッ素化有機基は、メチル基、エチル基、プロピル基、イソプロピル基、ブチル基、イソブチル基、ｔｅｒｔ−ブチル基、ペンチル基、ネオペンチル基、ヘキシル基、シクロヘキシル基、ヘプチル基、オクチル基、ノニル基、デシル基、ウンデシル基、ドデシル基、トリデシル基、テトラデシル基、ヘキサデシル基、およびオクタデシル基、ならびに１〜２０個の炭素原子の他のアルキル基さらには６〜２２個の炭素原子のアルキルオキシアルキルエン基の水素原子の全部または一部をフッ素原子で置き換えることにより得ることが可能である。
【０３３０】
式−（ＣＨ２）ｘ−（ＣＦ２）ｙ−Ｒ１３により表される基は、アルキル基の水素原子をフッ素原子で置き換えることにより得られるフルオロアルキル基の例として提案される。式中、下付き文字「ｘ」は０、１、２、または３であり、かつ「ｙ」は１〜２０の整数である。Ｒ１３は、水素原子、フッ素原子、−ＣＨ（ＣＦ３）２−、またはＣＦ（ＣＦ３）２から選択される原子または基である。かかるフッ素置換アルキル基は、以下の式：
−ＣＦ３、−Ｃ２Ｆ５、−ｎＣ３Ｆ７、−ＣＦ（ＣＦ３）２、−ｎＣ４Ｆ９、ＣＦ２ＣＦ（ＣＦ３）２、−ｎＣ５Ｆ１１、−ｎＣ６Ｆ１３、−ｎＣ８Ｆ１７、ＣＨ２ＣＦ３、−（ＣＨ（ＣＦ３）２、ＣＨ２ＣＨ（ＣＦ３）２−ＣＨ２（ＣＦ２）２Ｆ、−ＣＨ２（ＣＦ２）３Ｆ、−ＣＨ２（ＣＦ２）４Ｆ、−ＣＨ２（ＣＦ２）６Ｆ、−ＣＨ２（ＣＦ２）８Ｆ、−ＣＨ２ＣＨ２ＣＦ３、−ＣＨ２ＣＨ２（ＣＦ２）２Ｆ、−ＣＨ２ＣＨ２（ＣＦ２）３Ｆ、−ＣＨ２ＣＨ２（ＣＦ２）４Ｆ、−ＣＨ２ＣＨ２（ＣＦ２）６Ｆ、−ＣＨ２ＣＨ２（ＣＦ２）８Ｆ、−ＣＨ２ＣＨ２（ＣＦ２）１０Ｆ、−ＣＨ２ＣＨ２（ＣＦ２）１２Ｆ、−ＣＨ２ＣＨ２（ＣＦ２）１４Ｆ、−ＣＨ２ＣＨ２（ＣＦ２）１６Ｆ、−ＣＨ２ＣＨ２ＣＨ２ＣＦ３、−ＣＨ２ＣＨ２ＣＨ２（ＣＦ２）２Ｆ、−ＣＨ２ＣＨ２ＣＨ２（ＣＦ２）２Ｈ、−ＣＨ２（ＣＦ２）４Ｈ、および−ＣＨ２ＣＨ２（ＣＦ２）３Ｈ
で表される線状または分岐状のポリフルオロアルキル基またはペルフルオロアルキル基により例示される。
【０３３１】
アルキルオキシアルキレン基の水素原子をフッ素原子で置き換えることにより得られるフルオロアルキルオキシフルオロアルキレン基として、−ＣＨ２ＣＨ２−（ＣＦ２）ｍ−ＣＦＲ１４−［ＯＣＦ２ＣＦ（ＣＦ３）］ｎ−ＯＣ３Ｆ７で表される基が提案される。式中、下付き文字「ｍ」は０または１であり、「ｎ」は、０、１、２、３、４、または５であり、かつＲ１４はフッ素原子またはＣＦ３である。
かかるフルオロアルキルオキシフルオロアルキレン基は、以下に示される式
−ＣＨ２ＣＨ２ＣＦ（ＣＦ３）−［ＯＣＦ２ＣＦ（ＣＦ３）］ｎ−ＯＣ３Ｆ７、
−ＣＨ２ＣＨ２ＣＦ２ＣＦ２−［ＯＣＦ２ＣＦ（ＣＦ３）］ｎ−ＯＣ３Ｆ７
により表されるペルフルオロアルキルオキシフルオロアルキレン基により例示される。
【０３３２】
本発明で使用されるビニルポリマーの数平均分子量は、３０００〜２００００００、より好ましくは５０００〜８０００００でありうる。
【０３３３】
フッ素化ビニルポリマーは、国際公開第０３／０４５３３７号パンフレットに記載のポリマーの１つでありうる。
【０３３４】
好ましい一実施形態によれば、本発明の趣旨の範囲内でグラフトされたビニルポリマーは、揮発性シリコーンオイルおよび揮発性炭化水素系オイルおよびそれらの混合物からとくに選択されるオイルまたはオイルの混合物（好ましくは揮発性）中を移送しうる。
【０３３５】
特定の実施形態によれば、本発明に好適なシリコーンオイルはシクロペンタシロキサンでありうる。
【０３３６】
別の特定の実施形態によれば、本発明に好適な炭化水素系オイルはイソドデカンでありうる。
【０３３７】
本発明にとくに好適でありうるカルボシロキサンデンドリマーから得られる少なくとも１つの単位でグラフトされたビニルポリマーは、Ｄｏｗ  ＣｏｒｎｉｎｇによりＴＩＢ  ４−１００、ＴＩＢ  ４−１０１、ＴＩＢ  ４−１２０、ＴＩＢ  ４−１３０、ＴＩＢ  ４−２００、ＦＡ  ４００２  ＩＤ（ＴＩＢ  ４−２０２）、ＴＩＢ  ４−２２０、およびＦＡ  ４００１  ＣＭ（ＴＩＢ  ４−２３０）という商品名で販売されているポリマーである。
【０３３８】
特定の一形態によれば、シリコーンポリマーは以下のものから選択される。
−  トリメチルシロキシシリケートタイプのＭＱタイプのシリコーン樹脂、
−  フェニルアルキルシロキシシリケートタイプのＭＱタイプの樹脂、
−  ポリプロピルシルセスキオキサン樹脂またはｔ−プロピルシルセスキオキサン樹脂（ＩＮＣＩ名：ポリプロピルシルセスキオキサン（および）イソドデカン）、
−  カルボシロキサンデンドリマー（ＩＮＣＩ名：アクリレート／ポリトリメチルシロキシメタクリレート）から得られる少なくとも１つの単位でグラフトされたビニルポリマー。
【０３３９】
本発明の特定の一形態によれば、シリコーンポリマーは、ポリプロピルシルセスキオキサン樹脂またはｔ−プロピルシルセスキオキサン樹脂（ＩＮＣＩ名：ポリプロピルシルセスキオキサン（および）イソドデカン）である。
【０３４０】
好ましくは、本発明に係る組成物は、組成物の重量を基準にして０．１重量％〜４重量％、好ましくは０．２重量％〜３重量％の含有率（ポリマーの活性材料で表される）で少なくとも１種のシリコーンポリマーを含む。
【０３４１】
添加剤
組成物はまた、口唇処置が意図された組成物で従来から使用されている追加の化粧料成分を含みうる。例として、有効成分、たとえば、好ましくは組成物に可溶な植物抽出物、先に述べた不揮発性オイルまたは不揮発性オイルの混合物との単一相の混合物が得られない（以上に詳述した条件）不揮発性フェニルまたは非フェニルシリコーンオイル、保存剤、抗酸化剤、甘味剤、香気剤、サンスクリーン剤、殺細菌剤、脂溶性染料、さらにはそれらの混合物がとくに挙げられうる。
【０３４２】
当然ながら、当業者であれば、想定される添加により組成物の有利な性質が悪影響を受けないようにまたは実質的に悪影響を受けないように、任意選択的な追加の成分および／またはその量の選択に注意を払うであろう。
【０３４３】
例示を目的として、添加剤含有率は、検討対象の分野で従来から使用されているものであり、たとえば、組成物の重量を基準にして０．０１重量％〜５重量％の範囲内である。
【０３４４】
添加剤の１つまたはいくつかが不揮発性オイルである場合、組成物中に存在する不揮発性オイルの全含有率は、有利には、先に詳細に与えられた範囲の枠内にとどめるように留意すべきである。
【０３４５】
包装・塗布アセンブリーは以下のように使用される。
【０３４６】
アセンブリー１が密閉形態であるとき、ユーザーは、とくに化粧料をホモジナイズする目的でアセンブリーを振盪または反転する。
【０３４７】
その際、物質は、仕切り壁８のオリフィス９を介して押し出され、塗布部材５をその塗布表面の頂点５１で非常に局所的に含浸する。
【０３４８】
いくらか振盪運動を行った後、ユーザーはアプリケーター４のネジを緩め、掴持部４１により前記アプリケーター４を把持し、それをリザーバー３から分離する。その際、塗布部材５はハウジング７から取り出され、次いで、塗布表面は、塗布を実施可能なユーザーによりアクセス可能になる。
【０３４９】
これを行うために、ユーザーは、塗布部材の頂点部分を対象の塗布表面たとえば口唇表面に接触させ、その上に化粧料の層を堆積させる。
【０３５０】
適宜、ユーザーは、物質を抑制または展延するために塗布表面の側方部分を使用可能である。
【図１】
2018531675.tif 000025
【図２】
2018531675.tif 000026
【図３】
2018531675.tif 000027
【図４】
2018531675.tif 000028
【国際調査報告】
2018531675.tif 000029
2018531675.tif 000030